(57)【特許請求の範囲】
【請求項１】
ループ型に形成されて双方向二重化された伝送路と、固定長フレームでデータの伝送を行なう複数のノードと、迂回用の迂回回線で構成されたデータ伝送システムにおいて、
二重化された伝送路から受信した０系データ、１系データ及び迂回回線から受信したデータをそれぞれの障害情報によって自動切り替えを行ない、データを選択するデータ選択手段をそれぞれのノードに設け、
前記データ選択手段において、０系伝送路／迂回回線選択部と、１系伝送路／迂回回線選択部を別パッケージ構成とし、片系パッケージの障害時でも通信を可能とすることを特徴とする伝送路データ迂回システム。
【請求項２】
ループ型に形成されて双方向二重化された伝送路と、固定長フレームでデータの伝送を行なう複数のノードと、迂回用の迂回回線で構成されたデータ伝送システムにおいて、
二重化された伝送路から受信した０系データ、１系データ及び迂回回線から受信したデータをそれぞれの障害情報によって自動切り替えを行ない、データを選択するデータ選択手段をそれぞれのノードに設け、
前記データ選択手段において、０系伝送路／迂回回線選択部と、１系伝送路／迂回回線選択部を別パッケージ構成とし、それぞれのパッケージをオプションとして既存システムに追加できるようにしたことを特徴とする伝送路データ迂回システム。
【請求項３】
前記データ選択手段からのセレクタ選択情報をデータの制御領域に挿入し、受信端末インタフェース部で該情報を解析・通知することにより、前記受信端末インタフェース部で迂回回線／伝送路の回線選択状態を検出できるようにしたことを特徴とする請求項１又は２記載の伝送路データ迂回システム。
【請求項４】
前記受信端末インタフェース部で検出した回線選択状態を監視し、受信端末インタフェース部の伝送路／迂回回線選択状態を確認できるようにしたことを特徴とする請求項３記載の伝送路データ迂回システム。
【請求項５】
前記データ選択手段は、
端末インタフェース部選択時における選択切り替え時間を速くすることにより、回線品質の高い伝送路への切り替えができるようにしたことを特徴とする請求項１又は２記載の伝送路データ迂回システム。
【請求項６】
前記データ選択手段は、
自動切り替えモードと固定切り替えモードを設けることにより、伝送路及び迂回回線の保守時に無用な切り替えを行なわないようにしたことを特徴とする請求項１又は２記載の伝送路データ迂回システム。
【請求項７】
前記データ選択手段は、
自動切り替えモード時に強制切り替えを行なっても、切り替え先の障害情報を監視して、異常時は無用な切り替えを行なわないようにしたことを特徴とする請求項１又は２記載の伝送路データ迂回システム。
【請求項８】
前記データ選択手段は、
時間スイッチ部より受信した０系と１系のデータを多重伝送する迂回回線インタフェース部と、時間スイッチ部からのデータと迂回回線からのデータを選択して時間スイッチ部へ送信するデータ選択部
とを具備することを特徴とする請求項１又は２記載の伝送路データ迂回システム。
【請求項９】
前記データ選択手段は、
時間スイッチ部より受信した０系と１系のデータを選択して伝送する迂回回線インタフェース部と、
時間スイッチ部からのデータと迂回回線からのデータを選択して時間スイッチ部へ送信するデータ選択部
とを具備することを特徴とする請求項１又は２記載の伝送路データ迂回システム。
【請求項１０】
前記迂回回線インタフェース部とデータ選択部を具備するデータ選択手段をユニット化したことを特徴とする請求項８又は９記載の伝送路データ迂回システム。
【発明の詳細な説明】
【０００１】
【発明の属する技術分野】
本発明は伝送路データ迂回システムに関し、更に詳しくはＬＡＮ（ローカル・エリア・ネットワーク）等のループ型伝送路を持つ通信システムのデータ迂回技術に関する。
【０００２】
１９９５年の阪神・淡路大震災では、道路や鉄道等のライフラインの確保が著しく困難な状況となり、更に電話・通信等のサービスメディア通信が各所で寸断される事態となった。
【０００３】
このため、災害に強いネットワークの構築に関する要求が多くなり、より信頼性の高い通信システムが必要となってきている。その一手段として、通信のための伝送路の他ルート化に対する期待が高まってきている。
【０００４】
【従来の技術】
従来よりＬＡＮ等の通信システムにおいては、通信回線に障害が発生した場合でも通信を確保するための様々な手段が実施されてきた。例えば、通信回線（伝送路）や通信装置（以下ノードと呼ぶ）ハードウェアの二重化、ノードでの障害発生時の自動折り返し等が行われてきている。このような技術を用いれば、伝送路の片系障害発生時では、通信に長時間の支障をきたすことはない。
【０００５】
【発明が解決しようとする課題】
しかしながら、前述した従来の技術では、伝送路の片系障害では、通信に長時間の支障をきたすことはなかったが、両系伝送路において障害が発生したり、通信パス経路にある複数の装置で障害が発生した場合には、通信不可能となっていた。
【０００６】
また、従来のリング構成型伝送路の迂回システムでは、伝送路の二重障害に対応した迂回パスの設定は迂回対象となるパスに対して一意に決定していた。つまり、１つの迂回対象パスに対して１つの迂回通信路が対応していた。
【０００７】
このため、図３９，図４０に示すように迂回ノード（迂回回線インタフェースを有するノード）に挟まれた両側のノードに収容される端末インタフェース間の通信パスを迂回させるような迂回形態においては、障害のパターンによっては迂回できない場合が生じていた。
【０００８】
図３９は第１の障害パターン（障害パターン１）を示す図，図４０は第２の障害パターン（障害パターン２）を示す図である。図３９，図４０において、１はノード、２は該ノード１に接続されている端末、５は迂回回線、２２は該迂回回線５を接続するマイクロ装置である。図では、迂回回線が接続されるノードをＲＮ、通常のノードをＩＮとし、それぞれのノードを区別するために、＃（イゲタ）の通し番号を付して示している。
【０００９】
例えば、図に示す×印の場所で障害が発生したものとする。図３９に示すシステムでは、図に太い実線で示すような迂回パスが張られて、ＩＮ＃４の端末２とＩＮ＃７の端末２との間で通話が可能であるが、障害発生場所の異なる図４０に示すシステムでは、迂回パスが張れず、通話が不可能であった。
【００１０】
本発明はこのような課題に鑑みてなされたものであって、伝送路で障害が発生しても通信パスを確保でき、高信頼・高品質なデータ通信を提供することができる伝送路データ迂回システムを提供することを目的としている。
【００１１】
【課題を解決するための手段】
（１）図１は本発明の原理ブロック図である。図に示すシステムは、ループ型に形成されて双方向に二重化された伝送路と、固定長フレームでデータの伝送を行なう複数のノードと、迂回用の迂回回線で構成されたデータ伝送システムを構成している。
【００１２】
図において、１がノード（通信装置）、２が該ノード１に接続された端末、３が０系伝送路、４が１系伝送路である。図では、ノード１として、＃０〜＃３まで４台のノードが接続された場合を示しているが、これに限るものではなく、任意の数のノードを伝送路ループに設けることができる。また、図では、＃０のノードと＃１のノードに端末２が接続されている場合を示しているが、これに限るものではなく、他のノードにも必要に応じて端末が接続されている。
【００１３】
５は＃０のノードと＃１のノード間に接続された迂回用の迂回回線である。図では、＃０のノードと＃１のノード間に迂回回線が接続された場合を示しているが、これに限るものではなく、それぞれのノード間で必要に応じて迂回回線を接続することができる。
【００１４】
１０は、二重化された伝送路から受信した０系データ、１系データ及び迂回回線５から受信したデータをそれぞれの障害情報によって自動切り替えを行ない、データを選択するデータ選択手段であり、ノード１内に設けられている。図では、＃２のノードと＃３のノードにはデータ選択手段１０が記載されていないが、同様にデータ選択手段１０を設けることができる。
【００１５】
また、本発明では、前記データ選択手段において、０系伝送路／迂回回線選択部と、１系伝送路／迂回回線選択部を別パッケージ構成とし、片系パッケージの障害時でも通信を可能とするように構成されている。
この発明の構成によれば、データ選択手段１０内の迂回受信部にある０系伝送路／迂回回線データ選択部と、１系伝送路／迂回回線データ選択部を別パッケージ（ハードウェア分離）することにより、片系パッケージの障害時でも通信を可能とすることができ、保守時のハードウェア交換時にもデータ通信を保障することができる。
【００１６】
（２）また、ループ型に形成されて双方向二重化された伝送路と、固定長フレームでデータの伝送を行なう複数のノードと、迂回用の迂回回線で構成されたデータ伝送システムにおいて、二重化された伝送路から受信した０系データ、１系データ及び迂回回線から受信したデータをそれぞれの障害情報によって自動切り替えを行ない、データを選択するデータ選択手段をそれぞれのノードに設け、前記データ選択手段において、０系伝送路／迂回回線選択部と、１系伝送路／迂回回線選択部を別パッケージ構成とし、それぞれのパッケージをオプションとして既存システムに追加できるようにしたことを特徴としている。
【００１７】
この発明の構成によれば、データ選択手段内の迂回受信部にある０系伝送路／迂回回線データ選択部と、１系伝送路／迂回回線データ選択部を別プリント板とし、そのプリント板の無い既存システムにオプションとしてプリント板を追加することができ、迂回回線の収容を容易にすることができる。
【００１８】
（３）また、前記データ選択手段１０からのセレクタ選択情報をデータの制御領域に挿入し、受信端末インタフェース部で該情報を解析・通知することにより、前記受信端末インタフェース部で迂回回線／伝送路の回線選択状態を検出できるようにしたことを特徴としている。
【００１９】
この発明の構成によれば、迂回受信部において、該当チャネルの制御ビットに設ける伝送路／迂回回線選択通知信号ビットに、伝送路／迂回回線選択状態を挿入し、端末受信部において同ビットを受信・解析・通知することで、端末受信部にて伝送路／迂回回線の回線選択状態が検出できる。
【００２０】
（４）また、前記受信端末インタフェース部で検出した回線選択状態を監視し、受信端末インタフェース部の伝送路／迂回回線選択状態を確認できるようにしたことを特徴としている。
【００２１】
この発明の構成によれば、端末受信部において検出した回線選択状態を監視制御部にて監視し、伝送路３，４と迂回回線５を選択している切り替え部での回線選択状態が確認できなくても、該当する端末インタフェース部の状態だけで迂回回線を選択しているのか伝送路を選択しているのかを確認することができる。
【００２２】
（５）また、前記データ選択手段は、端末インタフェース部選択時における選択切り替え時間を速くすることにより、回線品質の高い伝送路への切り替えができるようにしたことを特徴としている。
【００２３】
この発明の構成によれば、データ選択手段１０内の迂回受信部にある伝送路／迂回回線データ選択部のセレクタ切り替え時間と、端末受信部の０系／１系データ選択部のセレクタ切り替え時間について、後者の切り替え時間を前者より速くすることにより、端末２におけるデータ瞬断時間を短かくすることができる。
【００２４】
（６）また、前記データ選択手段は、自動切り替えモードと固定切り替えモードを設けることにより、伝送路及び迂回回線の保守時に無用な切り替えを行なわないようにしたことを特徴としている。
【００２５】
この発明の構成によれば、データ選択手段１０内の迂回受信部にある０系伝送路／迂回回線データ選択部と、１系伝送路／迂回回線データ選択部の切り替え制御において、自動切り替えモード（伝送路／迂回回線正当性確認結果によるハードウェア自動切り替えモード）と固定切り替えモード（ハードウェアによる自動切り替えは行なわず、ソフトウェアからの強制設定により切り替えるモード）を設けて、伝送路３，４及び迂回回線５の保守時に無用な切り替えをしないようにすることができる。
【００２６】
（７）また、前記データ選択手段は、自動切り替えモード時に強制切り替えを行なっても、切り替え先の障害情報を監視して、異常時は無用な切り替えを行なわないようにしたことを特徴としている。
【００２７】
この発明の構成によれば、データ選択手段１０内の迂回受信部にある０系伝送路／迂回回線データ選択部と、１系伝送路／迂回回線データ選択部の切り替え制御において、自動切り替えモードにおいてもソフトウェアからの強制切り替えを可能とし、切り替え先の障害情報を監視して、障害が発生している場合には強制切り替えを行なわないようにすることができる。
【００２８】
（８）また、前記データ選択手段１０は、時間スイッチ部より受信した０系と１系のデータを多重伝送する迂回回線インタフェース部と、時間スイッチ部からのデータと迂回回線からのデータを選択して時間スイッチ部へ送信するデータ選択部とを具備することを特徴としている。
【００２９】
この発明の構成によれば、どのような障害パターンの場合でも、迂回を可能とすることができる。
【００３０】
（９）また、前記データ選択手段は、時間スイッチ部より受信した０系と１系のデータを選択して伝送する迂回回線インタフェース部と、時間スイッチ部からのデータと迂回回線からのデータを選択して時間スイッチ部へ送信するデータ選択部とを具備することを特徴としている。
【００３１】
この発明の構成によれば、どのような障害パターンの場合でも、迂回を可能とすることができる。
【００３２】
（１０）また、前記迂回回線インタフェース部とデータ選択部を具備するデータ選択手段をユニット化したことを特徴とする。
【００３３】
この発明の構成によれば、データ選択手段をユニット化することにより、本ユニットを追加するだけで、通常のデータ伝送システムから選択的に迂回可能なデータ伝送システムへの対応が可能となる。
【００４２】
【発明の実施の形態】
以下、図面を参照して本発明の実施の形態例を詳細に説明する。
図２は本発明に係るノードの一実施の形態例を示すブロック図である。図１と同一のものは、同一の符号を付して示す。この実施の形態例では、迂回回線５としては例えばマイクロ回線が用いられる。２０は端末２からのデータを収容する端末インタフェース部である。
【００４３】
送信データは、該端末インタフェース部２０から０系／１系の２本の送信データとして、送出される。０系データは、切り替え部１９、０系多重化部１４、０系伝送路インタフェース部１２、０系伝送路３を経て対向側の端末へ送信される。１系データは、切り替え部１８、１系多重化部１３、１系伝送路インタフェース部１１、１系伝送路４を経て対向側の端末２へ送信される。ここで、伝送路３，４としては、例えば光伝送路が用いられる。
【００４４】
一方、対向側の端末２からのデータは、切り替え部１９にて、０系伝送路３、伝送路インタフェース部１２、多重化部１４経由で受信したデータと、端末インタフェース部２１で受信した迂回回線５からのデータで正常な方のデータをセレクタＳＬ１でセレクトし、端末インタフェース部２０に渡す。
【００４５】
また、切り替え部１８にて、１系伝送路４、伝送路インタフェース部１１、多重化部１３経由で受信したデータと、端末インタフェース部２１で受信した迂回回線５からのデータで正常な方のデータをセレクタＳＬ２でセレクトし、端末インタフェース部２０に渡す。
【００４６】
端末インタフェース部２０は、切り替え部１８と切り替え部１９からの受信データを受けて、セレクタＳＬ３で０系，１系及び迂回回線からの正常な方のデータを選択し、端末２に送信する。なお、前述したセレクタＳＬ１〜ＳＬ３は、入ってくる２つの信号の内の何れか一方をセレクトして後段の回路に伝えるものである。
【００４７】
また、監視制御部１５は、ノード内伝送路インタフェース部１１，１２、多重化部１３，１４、切り替え部１８，１９、端末インタフェース部２０等の監視を行ない、監視した結果のノード状態及び状態変化ログの内容（セレクタの向きの変更等の過去の状態を格納したもの）を記憶部１６に格納する。また、監視制御部１５は、通信インタフェース部１７を介して表示部２３に格納した内容を表示する。これにより、ノードの状態をオペレータが把握できる。
【００４８】
なお、切り替え部１８，１９及び端末インタフェース部２０，は、パスの形態例等によって必要に応じて実装されるものであり、実装される位置は固定ではない。
【００４９】
また、端末インタフェース部２０に設けられているレジスタ２０ａは、端末インタフェース部２０の状態を保持しておくものである。該レジスタ２０ａの内容は、常時監視制御部１５によって監視されている。そして、切り替え部１８，１９，端末インタフェース部２０，監視制御部１５，記憶部１６，通信インタフェース部１７及び端末インタフェース部２１で図１のデータ選択手段１０を構成している。
【００５０】
次に、本発明の種々の形態について以下に説明する。
１．第１の実施の形態例
図３は本発明の第１の実施の形態例を示すブロック図である。図１，図２と同一のものは、同一の符号を付して示す。ノード１は、ここではそれぞれのノードを区別するため３桁の数字で示している（以下の形態例についても同じ）。送信側端末２が接続されるノード１０１では、端末２からのデータを０系伝送路３、１系伝送路４、迂回回線５へコピーして送信する。ノード１０１の送信端末２からのデータはマイクロ装置２２を介して他のノードである１０２側に伝送される。
【００５１】
コピーされたデータは、それぞれの経路を通過してノード１０２へ到達する。ノード１０２は、０系伝送路データと、迂回回線データを選択するセレクタＳＬ１と、１系伝送路データと迂回回線データを選択するセレクタＳＬ２と、セレクタＳＬ１とＳＬ２のデータを選択するセレクタＳＬ３から構成されている。
【００５２】
例えば、ノード１０４で障害が発生した場合、ノード１０２では、セレクタＳＬ１では０系伝送路データのエラーを検出し、迂回回線データを選択する。セレクタＳＬ２では、１系伝送路データと迂回回線データのいずれか一方を選択する。セレクタＳＬ３では、セレクタＳＬ１の選択データと、セレクタＳＬ２の選択データの何れか一方を選択するため、結果として受信側端末２へは、１系伝送路データか迂回回線データのいずれかが送信されることになる。
【００５３】
また、例えばノード１０４と、ノード１０６で同時に障害が発生した場合、ノード１０２のセレクタＳＬ１では、０系伝送路データのエラーを検出し、迂回回線データを選択し、ノード１０２のセレクタＳＬ２では、１系伝送路データのエラーを検出し、迂回回線データを選択する。従って、セレクタＳＬ３では、迂回回線データを選択することにより、受信側端末２へは迂回回線データを通知することになる。
【００５４】
この実施の形態例によれば、データ選択手段１０は、０系伝送路３から受信したデータと、１系伝送路４から受信したデータの正当性確認結果（パリティチェック結果）と、迂回回線データの正当性確認結果（パリティチェック結果）によって、異常のない系へデータ選択用セレクタを自動的に切り替えることができ、両系において異常のない場合や、両系において異常の場合は選択系保持とすることにより無用な切り替えをなくすことができ、伝送路で障害が発生しても通信パスを確保でき、高信頼・高品質なデータ通信を提供することができる。
【００５５】
図４はノード１０１の送信側構成例を示す回路図である。図のパリティ挿入部２０１が図２の端末インタフェース部２０に相当し、１系パリティ検出部２０３と１系迂回品質挿入部２０５が図２の切り替え部１８に相当し、０系パリティ検出部２０２と０系迂回品質挿入部２０４が図２の切り替え部１９に相当し、０系パリティ検出部２１０と、１系パリティ検出部２１１と、切り替え制御部２１２と選択部２１３が図２の端末インタフェース部２１に対応する。
【００５６】
端末２から受信したデータはパリティ挿入部２０１に入り、該パリティ挿入部２０１で受信データに対するパリティをパリティビットＰに挿入する。図５は、通信データと制御ビットの具体的な構成例を示す図である。端末から受信したデータは、各チャネル毎に８ビットのパラレルデータのＤ０〜Ｄ７に挿入され、端末２からのアラームや回線情報を端末インタフェース個別の制御用ビットＣ０〜Ｃ５に挿入する。
【００５７】
また、迂回状態を通知するためのビット※ＲＳ（※は負論理を示す）には、伝送路データ送信時には“１”を挿入し、迂回回線データ送信時には“０”を挿入する。そして、データ領域Ｄ０〜Ｄ７、制御用ビットＣ０〜Ｃ５、迂回状態通知用ビット※ＲＳの全１５ビットに対する奇数パリティをパリティビットＰに挿入する。そして、１チャネル当たり２タイムスロットの領域を使用して上記のビットを伝送する。
【００５８】
再び、図４において、パリティ挿入部２０１でパリティビットを挿入されたデータは、０系パリティ検出部２０２及び１系パリティ検出部２０３において、パリティ挿入部２０１で挿入されたパリティをチェックする。
【００５９】
パリティ挿入部２０１でパリティを挿入し、すぐにパリティ検出部２０２，２０３で検出するようにしているのは、システムによっては、パリティ挿入部２０１と０系パリティ検出部２０２及び１系パリティ検出部２０３が別ノードになることがあるためである。その後、それぞれ０系迂回品質挿入部２０４及び１系迂回品質挿入部２０５で迂回回線５の対向側で回線の品質をチェックするためのパリティを挿入する。
【００６０】
再び、図５で説明する。各チャネル毎のデータ（ｃｈ０〜ｃｈｎ）の後に迂回品質用チャネルｃｎｔを設ける。このチャネルは、１フレームの中にＵ０〜Ｕ６の最大７チャネル分の迂回品質用パリティを迂回回線５の対向側に伝送できるものであり、チャネルデータ全１５ビットに対する奇数パリティを１ビットで伝送する。
【００６１】
また、更に多くのチャネル回線を収容するために、マルチフレームにより複数の迂回品質用パリティを伝送するための同期用ビットＦを先頭タイムスロットのビット０（ｂ０）に挿入する。
【００６２】
同期用ビットＦが“０”の場合には、チャネル１に対する迂回品質用パリティをＵ０に挿入し、チャネル２に対する迂回品質用パリティをＵ１に挿入し、チャネル７に対する迂回品質用パリティをＵ６に挿入する。
【００６３】
次のフレームにおいて、同期用ビットＦが“１”の場合には、チャネル８に対する迂回品質用パリティをＵ０に挿入し、チャネル９に対する迂回品質用パリティをＵ１に挿入し、チャネル１４に対する迂回品質用パリティをＵ６に挿入する。
【００６４】
更に、次のフレームにおいて、同期用ビットＦが“１”の場合には、チャネル１５に対する迂回品質用パリティをＵ０に挿入し、チャネル１６に対する迂回品質用パリティをＵ１に挿入し、チャネル２１に対する迂回品質用パリティをＵ６に挿入する。このようにして複数のチャネルを伝送することが可能となる。
【００６５】
例えば、１４チャネル分のデータを伝送する場合には、２フレーム分のデータ領域全３２ビット分のパリティを迂回品質用パリティとして挿入することにより、１ビットエラー時にも検出可能となる。また、Ｒ０〜Ｒ６は未使用ビットであり、迂回品質用チャネルの同期用ビットＦ、迂回品質用パリティＵ０〜Ｕ６、未使用ビットＲ０〜Ｒ６の全１５ビットに対する奇数パリティをパリティビットＰに挿入する。
【００６６】
この発明の構成によれば、データ選択手段１０は複数チャネルのデータを伝送する場合に、迂回回線データにおいても複数の正当性確認用データを伝送することにより、チャネル単位の伝送路と迂回回線の切り替えを行ない、他のチャネルへの影響のない切り替えを実現することができる。
【００６７】
また、この実施の形態例によれば、データ選択手段１０は迂回回線データの正当性を示すデータを複数のチャネル毎に伝送する場合、迂回回線領域の１チャネル分のデータ領域にマルチフレーム構成（数フレームで全ての回線の正当性確認データを送受信する）で多重化して伝送することにより、障害発生時にチャネル個別で切り替えが可能となると共に、迂回回線のデータ領域を有効に活用することができる。
【００６８】
また、この実施の形態例によれば、データ選択手段１０は迂回切り替え部のあるノードまでのパスで障害が発生し、データに異常が発生した場合に、迂回回線に出力する対象チャネルの迂回回線正当性確認用データに強制的に異常状態を付加することにより、対向側の迂回受信部で迂回回線データを選択しないようにすることができる。
【００６９】
また、０系パリティ検出部２０２及び１系パリティ検出部２０３において、アラームを検出した場合は、それぞれの０系迂回品質挿入部２０４及び１系迂回品質挿入部２０５において、強制的にパリティ異常となるようにパリティデータを挿入する。このようにすることによって、迂回回線対向側において、迂回回線異常とみなし、伝送路側を選択するようにできる。
【００７０】
その後、０系データ処理部２０６及び１系データ処理部２０７でフレーム変換（ノード内フレームから伝送路フレームへの乗せ替え）を行ない、０系光送信部２０８及び１系光送信部２０９で電気／光変換を行なって伝送路３，４に送信する。
【００７１】
一方、０系迂回品質挿入部２０４及び１系迂回品質挿入部２０５からのデータは、０系パリティ検出部２１０及び１系パリティ検出部２１１でパリティ挿入部２０１で挿入されたパリティとデータによってチェックし、チェック結果を切り替え制御部２１２で制御し、選択部２１３を切り替える。選択部２１３の出力は、迂回回線５を介してマイクロ装置２２へ接続される。
【００７２】
図６は、通信データと制御ビットの他の具体的な構成例を示す図である。端末から受信したデータは、各チャネル毎に８ビットのパラレルデータのＤ０〜Ｄ７に挿入され、端末２からのアラームや回線情報を端末インタフェース部個別の制御用ビットＣ０〜Ｃ５に挿入する。
【００７３】
また、迂回状態を通知するためのビット※ＲＳには、伝送路データ送信時には“１”を挿入し、迂回回線データ送信時には“０”を挿入する。そして、データ領域Ｄ０〜Ｄ７、制御用ビットＣ０〜Ｃ５、迂回状態通知用ビット※ＲＳの全１５ビットに対する奇数パリティをパリティビットＰに挿入する。そして、１チャネル当たり２タイムスロットの領域を使用して、上記ビットを伝送する。
【００７４】
図４のパリティ挿入部２０１でパリティビットが挿入されたデータは、０系パリティ検出部２０２及び１系パリティ検出部２０３において、パリティ挿入部２０１で挿入されたパリティをチェックする。これはシステム形態によっては、パリティ挿入部２０１と０系パリティ検出部２０２及び１系パリティ検出部２０３が別ノードとなることがあるためである。
【００７５】
その後、それぞれ０系迂回品質挿入部２０４及び１系迂回品質挿入部２０５で迂回品質の対向側で回線の品質状態をチェックするためのパリティ検出結果とパリティを挿入する。
【００７６】
再び図６で説明する。各チャネルのデータ（ｃｈ１〜ｃｈｎ）の後に迂回品質用チャネルｃｎｔを設ける。このチャネルは、１フレーム間に最大６チャネル分の迂回品質チェック用のパリティ検出結果とそれに対するパリティを迂回回線５の対向側に伝送できるものであり、各チャネルデータに対して０系パリティ検出部２０２や１系パリティ検出部２０３で検出した結果を各チャネル当たり１ビットで伝送する。
【００７７】
パリティ検出結果が正常の場合には“０”を、異常の場合には“１”を伝送する。更に多くのチャネル回線を収容するために、マルチフレームによる複数の迂回品質用パリティを伝送するための同期用ビットＦを先頭タイムスロットのビット０（ｂ０）に挿入する。
【００７８】
同期用ビットＦが“０”の場合には、チャネル１に対するパリティ検出結果をＨ０に挿入し、チャネル２に対するパリティ検出結果をＨ１に挿入し、チャネル６に対するパリティ検出結果をＨ５に挿入する。次のフレームにおいて、同期用ビットＦが“１”の場合には、チャネル７に対するパリティ検出結果をＨ０に挿入し、チャネル８に対するパリティ検出結果をＨ１に挿入し、チャネル１２に対するパリティ検出結果をＨ５に挿入する。
【００７９】
更に次のフレームにおいて、同期用ビットＦが“１”の場合には、チャネル１３に対するパリティ検出結果をＨ０に挿入し、チャネル１４に対するパリティ検出結果をＨ１に挿入し、チャネル１８に対するパリティ検出結果をＨ５に挿入にする。このようにして複数チャネルを伝送することが可能となる。
【００８０】
また、Ｒ０〜Ｒ６は未使用ビットであり、迂回品質用チャネルの同期用ビットＦ、パリティ検出結果Ｈ０〜Ｈ５、Ｆ及びＨ０〜Ｈ５の全７ビットに対する奇数パリティをＰ１に挿入し、更に未使用ビットＲ０〜Ｒ６を追加した全１５ビットに対する奇数パリティをパリティビットＰに挿入する。
【００８１】
受信側において、パリティビットＰ１のチェック結果が異常となった場合には、その迂回品質チャネルに収容されているチャネル（全６チャネル分）の異常として認識する。このようにすることによって、迂回回線対向側において、迂回回線異常とみなし、伝送路側を選択するようにできる。
【００８２】
その後、０系データ処理部２０６及び１系データ処理部２０７でフレーム変換を行ない、０系光送信部２０８及び１系光送信部２０９で電気／光信号変換を行なって伝送路に送信する。
【００８３】
一方、０系迂回品質挿入部２０４及び１系迂回品質挿入部２０５からのデータは、０系パリティ検出部２１０及び１系パリティ検出部２１１でパリティ挿入部２０１で挿入されたパリティとデータによってチェックし、チェック結果を切り替え制御部２１２で制御し、選択部２１３を切り替える。選択部２１３は迂回回線５を介して対向側端末２に伝送する。
【００８４】
図７は障害情報による切り替え制御部２１２の切り替え制御の実施例を示す状態遷移図、図８は障害情報による切り替え制御部２１２の切り替え制御の実施例を示す状態論理を示す図である。初期立ち上げ時に０系選択とすると、０系伝送路及び１系伝送路の両方において、パリティが正常検出された場合には、０系伝送路選択となる。
【００８５】
その後、０系パリティ異常を検出し、１系パリティ正常時にのみ、１系伝送路選択となる。１系伝送路選択時に、０系伝送路及び１系伝送路の両方においてパリティが異常となった場合には、現状選択回線を保持する。また、１系伝送路選択時に、１系パリティ異常を検出し、０系パリティ正常の場合にのみ０系伝送路選択となる。０系伝送路パリティが正常で、１系伝送路パリティが異常の場合には０系に留まる。また、１系伝送路パリティが正常で、０系伝送路パリティが異常の場合には、１系に留まる。
【００８６】
図７において、０系伝送路ＨＷパリティエラー（ＨＰＥＲ０）が未検出で、１系伝送路ＨＷパリティエラー（ＨＰＥＲ１）が検出された場合には１系から０系に遷移し、ＨＰＥＲ１が未検出でＨＰＥＲ０が検出された場合には０系から１系に遷移する。
【００８７】
図９は図３のノード１０２の受信側の構成例を示す回路図である。図２，図３と同一のものは、同一の符号を付して示す。図の０系パリティ検出部２２５，０系迂回パリティ検出部２２６，０系迂回品質検出部２２７，０系選択部２３３，０系切り替え制御部２３１，０系パリティ異常挿入部２３５及び０系迂回状態挿入部２３７が図２の切り替え部１９に相当し、１系パリティ検出部２２８，１系迂回パリティ検出部２２９，１系迂回品質検出部２３０，１系選択部２３４，１系切り替え制御部２３２，１系パリティ異常挿入部２３６及び１系迂回状態挿入部２３８が図２の切り替え部１８に相当し、０系パリティ検出部２３９，１系パリティ検出部２４０，切り替え制御部２４１，端末選択部２４２，迂回状態検出部２４３及びレジスタ２４４が図２の端末インタフェース部２０に相当し、パリティ挿入部２４５が図２の端末インタフェース部２１に相当する。
【００８８】
０系伝送路３から受信したデータは、０系光受信部２２１で光／電気信号変換を行ない、０系データ処理部２２２でフレーム変換（伝送路フレームからノード内フレームへの乗せ替え）を行ない、０系パリティ検出部２２５で図４のパリティ挿入部２０１で挿入したデータとそれに対するパリティを検出し、検出結果を０系切り替え制御部２３１へ送出する。０系パリティ検出部２２５をパスしたデータは、０系選択部２３３へ送出される。
【００８９】
一方、１系伝送路４から受信したデータは、１系光受信部２２３で光／電気信号変換を行ない、１系データ処理部２２人でフレーム変換を行ない、１系パリティ検出部２２８で図４のパリティ挿入部２０１で挿入したデータとそれに対するパリティを検出し、検出結果を１系切り替え制御部２３２へ送出する。１系パリティ検出部２２８をパスしたデータは、１系選択部２３４へ送出される。
【００９０】
マイクロ装置から受信した迂回回線受信データは、パリティ挿入部２４５で受信データに対するパリティビットを挿入され、０系迂回パリティ検出部２２６で迂回回線受信データとそれに対するパリティが挿入されているビットを検出し、検出結果を０系切り替え制御部２３１へ送出する。
【００９１】
また、図４の０系迂回品質挿入部２０４で迂回品質チャネルに挿入されたチャネル単位のパリティを０系迂回品質検出部２２７で検出し、検出結果を０系切り替え制御部２３１へ送出する。そして、０系迂回パリティ検出部２２６と０系迂回品質検出部２２７をパスしたデータは、０系選択部２３３へ送出される。
【００９２】
同じように、１系迂回パリティ検出部２２９で迂回回線受信データとそれに対するパリティが挿入されているビットを検出し、検出結果を１系切り替え制御部２３２へ送出する。また、図４の１系迂回品質挿入部２０５で迂回品質チャネルに挿入されたチャネル単位のパリティを１系迂回品質検出部２３０で検出し、検出結果を１系切り替え制御部２３２へ送出する。そして、１系迂回パリティ検出部２２９と１系迂回品質検出部２３０をパスしたデータは、１系選択部２３４へ送出される。
【００９３】
０系切り替え制御部２３１及び１系切り替え制御部２３２では、各検出部から受信した検出結果を基に０系選択部２３３及び１系選択部２３４の切り替え先を制御する。
【００９４】
図１０は０系切り替え制御部２３１及び１系切り替え制御部２３２の障害情報による切り替え制御の他の実施例を示す状態遷移図、図１１は障害情報による切り替え制御の他の実施例を示す状態論理を示す図である。初期立ち上げ時に伝送路選択とすると、伝送路のパリティと、迂回回線のパリティ及び品質パリティの両方においてパリティが正常検出された場合には伝送路選択となる。
【００９５】
その後、伝送路パリティ異常を検出し、迂回回線のパリティ及び品質パリティ正常時にのみ迂回回線選択となる。また、伝送路選択時に迂回回線の障害検出時には現状選択回線を保持する（伝送路選択）。また、迂回回線選択時に、伝送路及び迂回回線の両方において異常となった場合も現状選択回線を保持する（迂回回線選択）。また、迂回回線選択時に、迂回回線異常を検出し、伝送路が正常時のみ伝送路選択となる。
【００９６】
迂回回線パリティエラーで迂回回線品質エラーでない時、又は迂回回線パリティエラーなしで迂回品質エラーの時、又は迂回回線パリティエラーで迂回回線品質エラーの時、又は伝送路パリティエラーと迂回回線パリティエラーと迂回回線エラーの何れもない時には伝送路を保持する。
【００９７】
また、伝送路パリティエラーの時、又は伝送路パリティエラーと迂回回線パリティエラーと迂回回線エラーの何れもない時には迂回回線を保持する。
図１０において、伝送路ＨＷパリティエラーをＨＰＥＲＲ、迂回回線ＨＷパリティエラーをＲＰＥＲＲ、迂回回線品質エラーをＲＱＥＲＲとすると、状態遷移は以下のようになる。即ち、ＨＰＥＲＲが未検出，ＲＰＥＲＲが検出，ＲＱＥＲＲが未検出の場合、又はＨＰＥＲＲが未検出，ＲＰＥＲＲが未検出，ＲＱＥＲＲが検出の場合、又はＨＰＥＲＲが未検出，ＲＰＥＲＲが検出，ＲＱＥＲＲが検出の場合には迂回回線から伝送路に状態遷移し、ＨＰＥＲＲが検出，ＲＰＥＲＲが未検出，ＲＱＥＲＲが未検出の場合には伝送路から迂回回線へ状態遷移する。
【００９８】
再び図９の説明に戻る。０系切り替え制御部２３１及び１系切り替え制御部２３２からの情報によって０系選択部２３３及び１系選択部２３４で選択されたデータは、それぞれ０系パリティ異常挿入部２３５及び１系パリティ異常挿入部２３６において、選択しているデータが迂回回線からのデータの場合には、０系迂回品質検出部２２７及び１系迂回品質検出部２３０で異常検出した場合に、パリティ異常を強制挿入する。これにより、迂回回線異常時に０系パリティ検出部２３９及び１系パリティ検出部２４０において迂回回線異常検出による切り替えを可能とすることができる。
【００９９】
０系パリティ異常挿入部２３５又は１系パリティ異常挿入部２３６により強制的に挿入された異常ビットは、０系迂回状態挿入部２３７及び１系迂回状態挿入部２３８に通知され、０系迂回状態挿入部２３７及び１系迂回状態挿入部２３８で制御ビット内の迂回状態通知用ビットに付加される。
【０１００】
図６の※ＲＳが迂回状態通知用ビットである。選択したデータが伝送路データの場合には“１”を挿入し、迂回回線データの場合には“０”を挿入する。付加された迂回状態通知用ビット※ＲＳは、迂回状態検出部２４３で検出し、回線選択状態レジスタ２４４に格納される。レジスタ２４４は、図２のレジスタ２０ａ内に存在する。
【０１０１】
図１２は端末インタフェース部２０内のレジスタ２０ａの構成例を示す図である。図に示すように、レジスタ２０ａは、アラーム（ＡＬＭ）レジスタと、回線選択状態レジスタ３０と、他の状態レジスタ等より構成されている。この内の回線選択状態レジスタ３０は、図に示すようにｂ０〜ｂ１５までの１６ビットで構成されており、このｂ０ビットに前記回線選択状態情報が格納されている。
【０１０２】
レジスタ２４４に反映された内容は、図２の監視制御部１５で監視されている。図１３は監視制御部１５の監視処理を示すフローチャートである。この処理は、各端末インタフェース部毎にポーリングしながら監視される。監視制御部１５は、端末インタフェース部２０のチャネル１個分の監視処理を開始する（Ｓ１）。監視制御部１５は、端末インタフェース部２０内のレジスタ２０ａのアラームレジスタと状態レジスタを読みに行く（Ｓ２）。
【０１０３】
レジスタ２４４の回線選択状態レジスタ３０は、状態レジスタの一部をなしている。監視制御部１５は、回線選択状態レジスタ３０を読み出し、読み出した内容が“Ｈ０００１”であれば（Ｈは１６進を示す）、図２の記憶部１６の状態格納部に読み出した端末インタフェース部２０に対する状態を伝送路選択中状態に設定する。読み出した内容が“Ｈ００００”であれば、前記状態格納部に迂回回線選択中状態に設定する。また、前回のポーリングした結果の内容とで変化があった場合（迂回回線→伝送路，伝送路→迂回回線）は、状態変化として変化した状態のログを記憶部１６のログ格納部（後述）に保存する（Ｓ３）。
【０１０４】
図１４は記憶部１６の構成例を示す図である。記憶部１６は、状態格納部４０とログ格納部５０より構成されており、状態格納部４０は各端末のインタフェース毎に状態４１をもっており、それぞれの端末インタフェース部状態４１の中に回線選択状態４１ａが設けられ、伝送路の選択中状態か迂回回線の選択中状態かを示す値が保持される。
【０１０５】
ログ格納部５０は、各ログ５１毎に年月日５１ａ，端末インタフェース部アドレス５１ｂ，状態変化内容５１ｃを保持している。ここで、状態変化内容５１ｃは、迂回→伝送路又は伝送路→迂回等の変化を示す。
【０１０６】
また、監視制御部１５で図２の通信インタフェース部１７を介して、表示部２３に、記憶部１６に格納されている回線選択状態（図１４の４１ａ）及びログ（図１４の５０）の内容を表示することで、切り替え部１８，１９の回線選択状態（伝送路／迂回回線）を意識せずに、迂回対象となる端末を収容する端末インタフェース部２０の回線選択状態の内容だけで、迂回回線を選択しているのか、伝送路を選択しているのかが確認できる。
【０１０７】
図１３に戻り、監視制御部１５は、その他のレジスタに対する処理として、記憶部１６内の状態反映、ログ検出、アラームレジスタについては、状態反映、ログ検出以外に、ノードの架上アラームランプ等の点灯及び消灯を行なう（Ｓ４）。そして、端末インタフェース部２０のチャネル１個分の監視処理を終了する（Ｓ５）。
【０１０８】
再び図９の動作に戻る。０系パリティ検出部２３９及び１系パリティ検出部２４０では、図４のパリティ挿入部２０１で挿入したデータとそれに対するパリティを検出する。なお、このデータが迂回回線データの場合には、０系迂回品質検出部２２７及び１系迂回品質検出部２３０で検出した結果が含まれているため、迂回回線異常時にもパリティ異常を検出する。それぞれの検出結果は、切り替え制御部２４１へ送出し、切り替え制御を行なう。この切り替え制御部２４１の制御は、図４の切り替え制御部２１２と同様である。
【０１０９】
そして、切り替え制御部２４１の制御結果によって、端末選択部２４２の切り替えを行ない、端末２へデータを送信する。このようにして、伝送路と迂回回線の自動切り替えを行なう。
【０１１０】
この実施の形態例によれば、データ選択手段１０は迂回受信部を収容するノード１から端末２を収容するノード１に迂回回線５からのデータを送信する場合、迂回受信部で検出した迂回回線正当性確認結果を端末収容ノードに送信する伝送路正当性確認データに反映させることにより、端末受信部において迂回回線データを選択しないようにすると共に、２つの情報（迂回回線正当性確認結果と伝送路正当性確認結果）を一つの領域に収容して回線の有効利用を図ることができる。
【０１１１】
また、この実施の形態例によれば、端末受信部において検出した回線選択状態を監視制御部にて監視して、伝送路３，４と迂回回線５を選択している切り替え部での回線選択状態が確認できなくても、該当する端末インターフェィス部の状態だけで迂回回線を選択しているのか伝送路を選択しているのかを確認することができる。
【０１１２】
また、この実施の形態例によれば、迂回受信部において、該当チャネルの制御ビットに設ける伝送路／迂回回線選択通知信号ビットに、伝送路／迂回回線選択状態を挿入し、端末受信部において同ビットを受信・解析・通知することで、端末受信部にて伝送路／迂回回線の回線選択状態が検出できる。
【０１１３】
また、図９のノード受信部には、０系選択部２３３と、１系選択部２３４と、端末選択部２４２の３種類のデータ選択部がある。障害検出時には、各選択部で切り替えが発生するが、０系選択部２３３と１系選択部２３４よりも、端末選択部２４２の方の切り替え時間が遅くなると、端末２でのデータ瞬断時間が長くなる。このため、端末選択部２４２の方の切り替え時間を速くすることにより、端末でのデータ瞬断時間を短かくすることができる。
【０１１４】
また、前記３種類の選択部のハードウェアが同一プリント板に収容されると、ハードウェア障害時のプリント板交換時に回線が切断されてしまう。このため、３種類の選択部のハードウェアを３分割することによって、例えば０系選択部２３３のハードウェア障害時には該当するプリント板の交換のみ行なうことにより、１系選択部２３４が動作するために、回線の確保が可能となる。
【０１１５】
また、０系選択部２３３と、１系選択部２３４を別プリント板とし、迂回回線の無い既存システムにこの２種類のプリント板をオプションとして追加することにより、容易に迂回回線の収容が可能となると共に、迂回回線の無い通常の回線と、迂回回線もサポートする回線のシステムでの混在も可能となる。
【０１１６】
図１５は、図９の０系切り替え制御部２３１及び１系切り替え制御部２３２の詳細構成例を示す回路図である。チャネル運用設定信号は、チャネル単位に運用／閉塞設定を行なうので、“１”で運用設定、“０”で閉塞設定である。０／１系実装情報は、０系選択部２３３で動作する場合には“０”、１系選択部２３４で動作する場合には“１”となり、フレームタイミングは系切り替えする時のタイミングである。０系ＨＷ（ハイウェイ）パリティアラーム信号は、０系受信データの障害情報、１系ＨＷパリティアラーム信号は１系受信データの障害情報、迂回回線アラーム信号は、迂回回線の障害情報である。
【０１１７】
形態設定は、前述及び後述する第１の実施の形態（形態１）〜第６の実施の形態（形態６）を示すものである。形態１の場合には形態設定０＝０，形態設定１＝０、形態２の場合には形態設定０＝１，形態設定１＝０、形態３の場合には形態設定０＝０，形態設定１＝１、形態４の場合には形態設定０＝０、形態設定１＝１、形態５の場合には形態設定０＝１，形態設定１＝０、形態６の場合には形態設定０＝０、形態設定１＝１となる。
【０１１８】
例えば、形態１の０系実装時の場合に、０系ＨＷパリティアラームが発生し、０系ＨＷは正常で、迂回回線も正常な場合の動作について以下に説明する。
オア（ＯＲ）ゲート８１の出力は“１”となり、オアゲート８２の出力は“０”となり、オアゲート８３の出力は“１”となり、エクスクルーシブ（ＥＯＲ）オアゲート８４の出力は“１”となり、アンド（ＡＮＤ）ゲート８５の出力は“１”となり、この結果、セレクタ制御信号は“１”となって、迂回回線を選択するようになる。
【０１１９】
この実施の形態例によれば、データ選択手段１０は迂回切り替え部のあるノードまでのパスで障害が発生し、データに異常が発生した場合に、迂回回線に出力する対象チャネルの迂回回線正当性確認用データに強制的に異常状態を付加することにより、対向側の迂回受信部で迂回回線データを選択しないようにすることができる。
【０１２０】
また、本発明では、図９の０系切り替え制御部２３１及び１系切り替え制御部２３２には、自動切り替えモードと固定切り替えモードを設けている。
自動切り替えモードは、前述したハードウェアでの障害検出により、自動切り替えを行なう。固定切り替えモードは、ソフトウェアからの強制切り替え指示により０系選択部２３３及び１系選択部２３４を固定設定して、伝送路及び迂回回線選択を自由に設定することができる。これにより、伝送路３，４及び迂回回線５の保守時に無用な切り替えをしないようにすることができる。
【０１２１】
また、自動切り替えモードにおいても、強制系切り替え設定を実行することにより、切り替え先の回線において、異常が検出されていない場合には系切り替えを行なうことができる。例えば、伝送路選択時に迂回回線側で障害が検出されていない場合に、迂回回線選択へ強制切り替えを行なうと、迂回回線を選択することができる。この時、迂回回線において、障害が発生している場合には、系切り替えは行なわない。
【０１２２】
この実施の形態例によれば、データ選択手段１０内の迂回受信部にある０系伝送路／迂回回線データ選択部と、１系伝送路／迂回回線データ選択部の切り替え制御において、自動切り替えモード（伝送路／迂回回線正当性確認結果によるハードウェア自動切り替えモード）と固定切り替えモード（ハードウェアによる自動切り替えは行なわず、ソフトウェアからの強制設定により切り替えるモード）を設けて、伝送路３，４及び迂回回線５の保守時に無用な切り替えをしないようにすることができる。
【０１２３】
２．第２の実施の形態例
図１６は本発明の第２の実施の形態例を示すブロック図である。図３と同一のものは、同一の符号を付して示す。図では、ノード１１１とノード１１６に端末２が接続されおり、ノード１１１が送信側、ノード１１６が受信側を示す。２２は、迂回回線５を接続するために、ノード１１１とノード１１２に接続されたマイクロ装置である。
【０１２４】
送信側端末２が接続されるノード１１１では、端末２からのデータを０系伝送路３，１系伝送路４及び迂回回線５へコピーして送信する。０系伝送路データと迂回回線データはノード１１２へ到達し、１系伝送路データはノード１１６へ到達する。
【０１２５】
ノード１１２は、０系伝送路データと迂回回線データを選択するセレクタＳＬ１から構成される。ノード１１６は、１系伝送路データとノード１１２のセレクタＳＬ１の出力データを選択するセレクタＳＬ２から構成される。
【０１２６】
例えば、ノード１１４で障害が発生した場合、ノード１１２のセレクタＳＬ１では、０系伝送路データのエラーを検出し、セレクタＳＬ１は迂回回線データを選択する。ノード１１６のセレクタＳＬ２では、１系伝送路データとノード１１２のセレクタＳＬ１の出力データの何れかを選択するため、結果として受信側端末２へは、１系伝送路データか迂回回線データの何れかを送信することになる。
【０１２７】
また、例えば、ノード１１４とノード１１７で同時に障害が発生した場合、ノード１１２のセレクタＳＬ１では０系伝送路データのエラーを検出し、迂回回線データを選択する。ノード１１６では、１系伝送路データのエラーを検出し、ノード１１２のセレクタＳＬ１の出力データを選択する。よって、セレクタＳＬ２では、迂回回線データを選択することにより、受信側端末２へは、迂回回線データを送信することになる。
【０１２８】
この実施の形態例によれば、データ選択手段１０は、０系伝送路３から受信したデータと、１系伝送路４から受信したデータの正当性確認結果（パリティチェック結果）と、迂回回線データの正当性確認結果（パリティチェック結果）によって、異常のない系へデータ選択用セレクタを自動的に切り替えることができ、両系において異常のない場合や、両系において異常の場合は選択系保持とすることにより無用な切り替えをなくすことができ、伝送路で障害が発生しても通信パスを確保でき、高信頼・高品質なデータ通信を提供することができる。
【０１２９】
図１７はノード１１１の送信側構成例を示す回路図であり、図４と同一のものは、同一の符号を付して示す。  ０系パリティ検出部２０２と、０系迂回品質挿入部２０４とで図２の切り替え部１９に相当し、１系パリティ検出部２０３と１系迂回品質挿入部２０５とで図２の切り替え部１８に相当し、パリティ挿入部２０１が図２の端末インタフェース部２０に相当し、０系パリティ検出部２１０と１系パリティ検出部２１１と、切り替え制御部２１２と、選択部２１３とで図２の端末インタフェース部２１に相当する。
【０１３０】
送信側端末２から送出されたデータは、０系光送信部２０８から０系伝送路３へ、１系光送信部２０９から１系伝送路４へ、選択部２１３からマイクロ装置（迂回回線）へそれぞれ送出される。図４と図１７を比較すると明らかなように、送信側の回路構成は同じである。動作は、図４と全く同じであるので、その説明は省略する。
【０１３１】
図１８はノード１１２の受信側構成例を示す回路図である。図９と同一のものは、同一の符号を付して示す。０系パリティ検出部２２５と、０系迂回パリティ検出部２２６と、０系迂回品質検出部２２７と、０系切り替え制御部２３１と、０系選択部２３３と、０系パリティ異常挿入部２３５と、０系迂回状態挿入部２３７とで、図２の切り替え部１９に相当し、パリティ挿入部２４５は図２の端末インタフェース部２１に相当する。
【０１３２】
ノード１１２には、０系伝送路３と迂回回線５とが入力されているので、図９に示すように０系伝送路３，１系伝送路４，迂回回線５の内から一つを選ぶ必要はなく、その構成は図９に示すものよりも簡単になっている。
【０１３３】
即ち、マイクロ装置２２より入ってくる迂回回線データと、０系伝送路３より入ってくる０系伝送路データとを受けて、０系パリティ検出部２２５による０系パリティ検出と、０系迂回パリティ検出部２２６による０系迂回パリティ検出と、０系迂回品質検出部２２７による迂回品質検出結果を０系切り替え制御部２３１に通知し、該０系切り替え制御部２３１は、これら検出結果を受けて、０系選択部２３３に選択信号を与え、該０系選択部２３３で何れか一方を選択してノード１１６側に伝送するものである。
【０１３４】
図１９はノード１１６の受信側構成例を示す回路図である。図９と同一のものは、同一の符号を付して示す。０系パリティ検出部２３９と、１系パリティ検出部２４０と、切り替え制御部２４１と、端末選択部２４２と、迂回状態検出部２４３と、レジスタ２４４とで図２の端末インタフェース部２０を構成している。
【０１３５】
ノード１１６には、１系伝送路データと、ノード１１２からのセレクタＳＬ１の出力データとが入っている。１系伝送路データは、１系光受信部２２３に入り、光／電変換された後、１系データ処理部２２４でフレーム変換された後、端末選択部２４２に入る。一方、ノード１１２側からのデータは０系光受信部２２１に入って光／電変換された後、０系データ処理部２２２でフレーム変換された後、端末選択部２４２に入る。
【０１３６】
０系パリティ検出部２３９は、ノード１１２からのデータを受けて送信側で挿入されたデータとそれに対するパリティを検出する。１系パリティ検出部２４０は、１系伝送路４からのデータを受けて送信側で挿入されたデータとそれに対するパリティを検出する。切り替え制御部２４１は、これら０系，１系のパリティ検出部２３９，２４０のパリティ検出結果を受けて、端末選択部２４２に入っているデータの内から何れか一方を選択して受信側端末２に与える。
【０１３７】
この時、端末選択部２４２で選択されたデータを受けて、迂回状態検出部２４３は迂回状態通知用ビットを検出した場合、回線選択状態レジスタ２４４にその情報を格納する。
【０１３８】
３．第３の実施の形態例
図２０は本発明の第３の実施の形態例を示すブロック図である。図３と同一のものは、同一の符号を付して示す。図では、ノード１２１とノード１２５に端末２が接続されおり、ノード１２１が送信側、ノード１２５が受信側を示す。２２は、迂回回線を接続するために、ノード１２１とノード１２２に接続されたマイクロ装置である。
【０１３９】
送信側端末２が接続されるノード１２１では、端末２からのデータを０系伝送路３，１系伝送路４，迂回回線５へコピーして送信する。０系伝送路データは、ノード１２５へ到達し、１系伝送路データと迂回回線データはノード１２２へ到達する。
【０１４０】
ノード１２２は、１系伝送路データと迂回回線データを選択するセレクタＳＬ２から構成される。ノード１２５は、０系伝送路データとノード１２２のセレクタＳＬ２の出力データを選択するセレクタＳＬ１から構成される。
【０１４１】
例えば、ノード１２６で障害が発生した場合、ノード１２２のセレクタＳＬ２では、１系伝送路データのエラーを検出し、迂回回線データを選択する。ノード１２５のセレクタＳＬ１では、０系伝送路データとノード１２２のセレクタＳＬ２の出力データの何れか一方を選択するため、結果として受信端末２へは０系伝送路データか迂回回線データの何れかが送信されることになる。
【０１４２】
また、例えばノード１２４とノード１２７で同時に障害が発生した場合、ノード１２２のセレクタＳＬ２では、１系伝送路データのエラーを検出し、迂回回線データを選択する。一方、ノード１２５では、０系伝送路データのエラーを検出し、ノード１２２のセレクタＳＬ２の出力データを選択する。この結果、セレクタＳＬ１では、迂回回線データを選択することになり、受信端末２へは迂回回線データを送信することになる。
【０１４３】
この実施の形態例によれば、データ選択手段１０は、０系伝送路３から受信したデータと、１系伝送路４から受信したデータの正当性確認結果（パリティチェック結果）と、迂回回線データの正当性確認結果（パリティチェック結果）によって、異常のない系へデータ選択用セレクタを自動的に切り替えることができ、両系において異常のない場合や、両系において異常の場合は選択系保持とすることにより無用な切り替えをなくすことができ、伝送路で障害が発生しても通信パスを確保でき、高信頼・高品質なデータ通信を提供することができる。
【０１４４】
図２１はノード１２１の送信側構成例を示す回路図であり、図４と同一のものは、同一の符号を付して示す。０系迂回品質挿入部２０４と０系パリティ検出部２０２とで図２の切り替え部１９を構成し、１系迂回品質挿入部２０５と１系パリティ検出部２０３とで図２の切り替え部１８を構成し、パリティ挿入部２０１が図２の端末インタフェース部２０を構成し、０系パリティ検出部２１０と、１系パリティ検出部２１１と、切り替え制御部２１２と、選択部２１３とで図２の端末インタフェース部２１を構成している。
【０１４５】
図４と図２１を比較すると明らかなように、送信側の回路構成は同じである。動作は、図４と全く同じであるので、その説明は省略する。
図２２はノード１２２の受信側構成例を示す回路図である。図９と同一のものは、同一の符号を付して示す。１系パリティ検出部２２８と、１系迂回パリティ検出部２２９と、１系迂回品質検出部２３０と、１系切り替え制御部２３２と、１系選択部２３４と、１系パリティ異常挿入部２３６と、１系迂回状態挿入部２３８とで図２の切り替え部１８を構成し、パリティ挿入部２４５が図２の端末インタフェース部２１を構成している。
【０１４６】
ノード１２２には、１系伝送路４と迂回回線５とが入力されているので、図９に示すように０系伝送路３，１系伝送路４，迂回回線５の内から一つを選ぶ必要はないので、その構成は図９に示すものよりも簡単になっている。
【０１４７】
即ち、マイクロ装置２２より入ってくる迂回回線データと、１系伝送路４より入ってくる１系伝送路データとを受けて、１系パリティ検出部２２８による１系パリティ検出と、１系迂回パリティ検出部２２９による１系迂回パリティ検出と、１系迂回品質検出部２３０による迂回品質検出結果を１系切り替え制御部２３２に通知し、該１系切り替え制御部２３２は、これら検出結果を受けて、１系選択部２３４に選択信号を与え、該１系選択部２３４で何れか一方を選択してノード１２５側に伝送するものである。
【０１４８】
図２３はノード１２５の受信側構成例を示す回路図である。図９と同一のものは、同一の符号を付して示す。０系パリティ検出部２３９と、１系パリティ検出部２４０と、切り替え制御部２４１と、端末選択部２４２と、迂回状態検出部２４３と、レジスタ２４４とで図２の端末インタフェース部２０を構成している。
【０１４９】
図２３と、図１９とを比較すると明らかなように、両者の回路は全く同じである。従って、その動作は図１９について説明したとおりであるので、その説明は省略する。
【０１５０】
４．第４の実施の形態例
図２４は本発明の第４の実施の形態例を示すブロック図である。図３と同一のものは、同一の符号を付して示す。図では、ノード１３５とノード１３７に端末２が接続されおり、ノード１３７が送信側、ノード１３５が受信側を示す。２２は、迂回回線５を接続するために、ノード１３１とノード１３２に接続されたマイクロ装置である。
【０１５１】
送信側端末２が接続されるノード１３７では、端末２からのデータを０系伝送路３，１系伝送路４へコピーして送信する。０系伝送路データはノード１３１に到達し、該ノード１３１は迂回回線５へコピーしてノード１３２へ送信すると共に、０系伝送路データはノード１３５へ到達する。また、１系伝送路データはノード１３２へ到達する。
【０１５２】
ノード１３２は、１系伝送路データと迂回回線データを選択するセレクタＳＬ２から構成される。ノード１３５は、０系伝送路データとノード１３２のセレクタＳＬ２の出力データを選択するセレクタＳＬ１から構成される。
【０１５３】
例えば、ノード１３６で障害が発生した場合、ノード１３２のセレクタＳＬ２では１系伝送路データのエラーを検出し、迂回回線データを選択する。ノード１３５のセレクタＳＬ１では、０系伝送路データとノード１３２のセレクタＳＬ２の出力データの何れか一方を選択する。この結果、受信端末２へは、０系伝送路データか迂回回線データの何れかが送信されることになる。
【０１５４】
また、例えばノード１３４とノード１３６で同時に障害が発生した場合、ノード１３２のセレクタＳＬ２では、１系伝送路データのエラーを検出し、迂回回線データを選択する。一方、ノード１３５では、０系伝送路データのエラーを検出し、ノード１３２のセレクタＳＬ２の出力データを選択する。従って、セレクタＳＬ１では、迂回回線データを選択することになり、受信端末２へは迂回回線データを送信することになる。
【０１５５】
この実施の形態例によれば、データ選択手段１０は、０系伝送路３から受信したデータと、１系伝送路４から受信したデータの正当性確認結果（パリティチェック結果）と、迂回回線データの正当性確認結果（パリティチェック結果）によって、異常のない系へデータ選択用セレクタを自動的に切り替えることができ、両系において異常のない場合や、両系において異常の場合は選択系保持とすることにより無用な切り替えをなくすことができ、伝送路で障害が発生しても通信パスを確保でき、高信頼・高品質なデータ通信を提供することができる。
【０１５６】
図２５はノード１３７の送信側構成例を示す回路図である。図４と同一のものは、同一の符号を付して示す。図のパリティ挿入部２０１が図２の端末インタフェース部２０を構成している。ノード１３７は迂回回線を持たないので、その回路構成は図４よりも簡単になっている。０系光送信部２０８の出力は、ノード１３１へ送信され、１系光送信部２０９の出力はノード１３６へ送信される。
【０１５７】
端末２から受信したデータは、パリティ挿入部２０１で受信データに対するパリティをパリティビットに挿入して、０系データ処理部２０６と１系データ処理部２０７に送られる。０系データ処理部２０６及び１系データ処理部２０７は、ノード内フレームから伝送路フレームへの乗せ替えを行ない、０系光送信部２０８及び１系光送信部２０９に送出する。０系光送信部２０８及び１系光送信部２０９は受信したデータを電／光変換して、０系伝送路３を介してノード１３１へ送信され、他方は１系伝送路４を介してノード１３６へ送信される。
【０１５８】
図２６はノード１３１の送信側構成例を示す回路図である。パリティ検出部２５４と迂回品質挿入部２５５とで図２の端末インタフェース部２１を構成している。ノード１３１は、ノード１３７の送信側端末２から送出されたデータを０系伝送路３と迂回回線５に送出する。
【０１５９】
０系光受信部２５１から受信した０系データは、０系データ処理部２５３に入り、そのまま０系光送信部２５２から０系伝送路３に送出される。一方、０系データ処理部２５３の出力はフレーム変換されてパリティ検出部２５４に入り、ノード１３７で挿入されたパリティがチェックされる。また、０系データ処理部２５３の出力は、迂回品質挿入部２５５に入り、迂回回線の対向側で回線の品質状態をチェックするためのパリティが挿入された後、マイクロ装置へ送られる。
【０１６０】
図２７はノード１３２の受信側構成例を示す回路図である。図９と同一のものは、同一の符号を付して示す。１系パリティ検出部２２８と、１系迂回パリティ検出部２２９と、１系迂回品質検出部２３０と、１系切り替え制御部２３２と、１系選択部２３４と、１系パリティ異常挿入部２３６と、１系迂回状態挿入部２３８とで図２の切り替え部１８を構成し、パリティ挿入部２４５は図２の端末インタフェース部２１を構成している。
【０１６１】
この図と図１８を比較すると明らかなように、その構成は同じである。違いは、図１８が０系で構成されているのに対し、図２７では１系で構成されている点のみである。ノード１３２には、１系伝送路４と迂回回線５とが入力されているので、図９に示すように０系伝送路３，１系伝送路４，迂回回線５の内から一つを選ぶ必要はなく、その構成は図９に示すものよりも簡単になっている。
【０１６２】
即ち、マイクロ装置より入ってくる迂回回線データと、１系伝送路４より入ってくる１系伝送路データとを受けて、１系パリティ検出部２２８による１系パリティ検出と、１系迂回パリティ検出部２２９による１系迂回パリティ検出と、１系迂回品質検出部２３０による迂回品質検出結果を１系切り替え制御部２３２に通知し、該１系切り替え制御部２３２は、これら検出結果を受けて、１系選択部２３４に選択信号を与え、該１系選択部２３４で何れか一方を選択してノード１３５側に伝送するものである。
【０１６３】
図２８はノード１３５の受信側構成例を示す回路図である。図９，２３と同一のものは、同一の符号を付して示す。０系パリティ検出部２３９と、１系パリティ検出部２４０と、切り替え制御部２４１と、端末選択部２４２と、迂回状態検出部２４３と、レジスタ２４４とで図２の端末インタフェース部２０を構成している。
【０１６４】
０系の伝送路データが０系光受信部２２１に入り、ノード１３２のセレクタＳＬ２の出力が１系光受信部２２３に入る。そして、最終的には端末選択部２４２から受信側端末２に送出される。図より明らかなように、この図は図２３と全く同じである。従って、その説明は省略する。
【０１６５】
５．第５の実施の形態例
図２９は本発明の第５の実施の形態例を示すブロック図である。図３と同一のものは、同一の符号を付して示す。図では、ノード１４５とノード１４６に端末２が接続されおり、ノード１４６が送信側、ノード１４５が受信側を示す。２２は、迂回回線５を接続するために、ノード１４１とノード１４２に接続されたマイクロ装置である。
【０１６６】
送信側端末２が接続されるノード１４６では、端末２からのデータを０系伝送路３と１系伝送路４へコピーして送信する。１系伝送路データは、ノード１４２に到達し、迂回回線５へコピーしてノード１４１へ送信される。また、１系伝送路データはノード１４５へ到達する。また、０系伝送路データはノード１４１へ到達する。
【０１６７】
ノード１４１は０系伝送路データと、迂回回線データを選択するセレクタＳＬ１から構成される。ノード１４５は、１系伝送路データとノード１４１のセレクタＳＬ１の出力データを選択するセレクタＳＬ２から構成される。
【０１６８】
例えば、ノード１４７で障害が発生した場合、ノード１４１のセレクタＳＬ１では０系伝送データのエラーを検出し、迂回回線データを選択する。ノード１４５のセレクタＳＬ２では、１系伝送路データとノード１４１のセレクタＳＬ１の出力データの何れかを選択するため、結果として受信端末２へは１系伝送路データと迂回回線データの何れかを送信することになる。
【０１６９】
また、例えば、ノード１４３とノード１４７で同時に障害が発生した場合、ノード１４１のセレクタＳＬ１では、０系伝送路データのエラーを検出し、迂回回線データを選択する。ノード１４５では、０系伝送路データのエラーを検出し、ノード１４２から送られてくる１系伝送路データを選択し、受信側端末２へ送信する。
【０１７０】
この実施の形態例によれば、データ選択手段１０は、０系伝送路３から受信したデータと、１系伝送路４から受信したデータの正当性確認結果（パリティチェック結果）と、迂回回線データの正当性確認結果（パリティチェック結果）によって、異常のない系へデータ選択用セレクタを自動的に切り替えることができ、両系において異常のない場合や、両系において異常の場合は選択系保持とすることにより無用な切り替えをなくすことができ、伝送路で障害が発生しても通信パスを確保でき、高信頼・高品質なデータ通信を提供することができる。
【０１７１】
図３０はノード１４６の送信側構成例を示す回路図である。図４と同一のものは、同一の符号を付して示す。図のパリティ挿入部２０１が図２の端末インタフェース部２０を構成している。ノード１４６は、迂回回線を持たないので、その回路構成は図４よりも簡単になっている。図２５と比較すると明らかなように、本回路は図２５と全く同じである。
【０１７２】
０系光送信部２０８の出力は、０系伝送路３を介してノード１４７側に送信され、１系光送信部２０９の出力は、１系伝送路４を介してノード１４２側に送信される。その動作説明については、図２５と同じであるので省略する。
【０１７３】
図３１はノード１４２の送信側構成例を示す回路図である。図２６と同一のものは、同一の符号を付して示す。パリティ検出部２５４と迂回品質挿入部２５５とで図２の端末インタフェース部２１を構成している。ノード１４２は、ノード１４６の送信側端末２から送出されたデータを１系伝送路４と迂回回線５に送出する。
【０１７４】
１系光受信部２５６から受信した１系データは、１系データ処理部２５８に入り、そのまま１系光送信部２５７から１系伝送路４に送出される。一方、１系データ処理部２５８の出力はパリティ検出部２５４に入り、ノード１４６で挿入されたパリティがチェックされる。また、１系データ処理部２５８の出力は、迂回品質挿入部２５５に入り、迂回回線の対向側で回線の品質状態をチェックするためのパリティが挿入された後、マイクロ装置２２へ送られる。
【０１７５】
図３２はノード１４１の受信側構成例を示す回路図である。図９と同一のものは、同一の符号を付して示す。図より明らかなように、この回路図と図１８の回路図は全く同じである。０系パリティ検出部２２５と、０系迂回パリティ検出部２２６と、０系迂回品質検出部２２７と、０系切り替え制御部２３１と、０系選択部２３３と、０系パリティ異常挿入部２３５と、０系迂回状態挿入部２３７とで図２の切り替え部１９を構成し、パリティ挿入部２４５は図２の端末インタフェース部２１を構成している。
【０１７６】
０系迂回状態挿入部２３７の出力は、ノード１４５へ送信される。その他の動作は図１８について説明したものと同じであるので、その説明は省略する。
図３３はノード１４５の受信側構成例を示す回路図である。図９，図２８と同一のものは、同一の符号を付して示す。０系パリティ検出部２３９と、１系パリティ検出部２４０と、切り替え制御部２４１と、端末選択部２４２と、迂回状態検出部２４３と、レジスタ２４４とで図２の端末インタフェース部２０を構成している。
【０１７７】
１系の伝送路データが１系光受信部２２３に入り、ノード１４１のセレクタＳＬ１の出力が０系光受信部２２１に入る。そして、最終的には端末選択部２４２から受信側端末２に送出される。図より明らかなように、この図は図２３と全く同じである。従って、その説明は省略する。
【０１７８】
６．第６の実施の形態例
図３４は本発明の第６の実施の形態例を示すブロック図である。図３と同一のものは、同一の符号を付して示す。図では、ノード１５３とノード１５５に端末２が接続されおり、ノード１５３が送信側、ノード１５５が受信側を示す。２２は、迂回回線５を接続するために、ノード１５１とノード１５２に接続されたマイクロ装置である。
【０１７９】
送信側端末２が接続されるノード１５３では、端末２からのデータを０系伝送路３，１系伝送路４へコピーして送信する。１系伝送路データは、ノード１５１へ到達し、迂回回線５へコピーしてノード１５２へ送信すると共に、１系伝送路データはノード１５２へ到達する。また、０系伝送路データはノード１５５へ到達する。
【０１８０】
ノード１５２は、１系伝送路データと迂回回線データを選択するセレクタＳＬ２から構成される。ノード１５５は、０系伝送路データとノード１５２のセレクタＳＬ２の出力データを選択するセレクタＳＬ１から構成される。
【０１８１】
例えば、ノード１５７で障害が発生した場合、ノード１５２のセレクタＳＬ２では１系伝送路データのエラーを検出し、迂回回線データを選択する。ノード１５５のセレクタＳＬ１では、０系伝送路データとノード１５２のセレクタＳＬ２の出力データの何れか一方を選択する。この結果、受信側端末２へは０系伝送路データか迂回回線データの何れかを送信することになる。
【０１８２】
また、例えばノード１５４とノード１５７で同時に障害が発生した場合、ノード１５２のセレクタＳＬ２では、１系伝送路データのエラーを検出し、迂回回線データを選択する。ノード１５５では、０系伝送路データのエラーを検出し、ノード１５２のセレクタＳＬ２の出力データを選択する。この結果、セレクタＳＬ１は、迂回回線データを選択することになり、受信端末２へは迂回回線データを送信することになる。
【０１８３】
この実施の形態例によれば、データ選択手段１０は、０系伝送路３から受信したデータと、１系伝送路４から受信したデータの正当性確認結果（パリティチェック結果）と、迂回回線データの正当性確認結果（パリティチェック結果）によって、異常のない系へデータ選択用セレクタを自動的に切り替えることができ、両系において異常のない場合や、両系において異常の場合は選択系保持とすることにより無用な切り替えをなくすことができ、伝送路で障害が発生しても通信パスを確保でき、高信頼・高品質なデータ通信を提供することができる。
【０１８４】
図３５はノード１５３の送信側構成例を示す回路図である。図４，図２５と同一のものは、同一の符号を付して示す。図のパリティ挿入部２０１が図２の端末インタフェース部２０を構成している。ノード１５３は、迂回回線を持たないので、その回路構成は図４よりも簡単になっている。図２５と比較すると明らかなように、本回路は図２５と全く同じである。
【０１８５】
０系光送信部２０８の出力は、０系伝送路を介してノード１５４側に送信され、１系光送信部２０９の出力は、１系伝送路を介してノード１５１側に送信される。その動作説明については、図２５と同じであるので省略する。
【０１８６】
図３６はノード１５１の送信側構成例を示す回路図である。図２６と同一のものは、同一の符号を付して示す。パリティ検出部２５４と迂回品質挿入部２５５とで図２の端末インタフェース部２１を構成している。ノード１５１は、ノード１５３の送信側端末２から送出されたデータを１系伝送路４と迂回回線５に送出する。
【０１８７】
１系光受信部２５６から受信した１系データは、１系データ処理部２５７に入り、そのまま１系光送信部２５７から１系伝送路４に送出される。一方、１系データ処理部２５７の出力はパリティ検出部２５４に入り、ノード１５３で挿入されたパリティがチェックされる。また、１系データ処理部２５７の出力は、迂回品質挿入部２５５に入り、迂回回線の対向側で回線の品質状態をチェックするためのパリティが挿入された後、マイクロ装置２２へ送られる。
【０１８８】
図３７はノード１５２の受信側構成例を示す回路図である。図９，図２７と同一のものは、同一の符号を付して示す。１系パリティ検出部２２８と、１系迂回パリティ検出部２２９と、１系迂回品質検出部２３０と、１系切り替え制御部２３２と、１系選択部２３４と、１系パリティ異常挿入部２３６と、１系迂回状態挿入部２３８とで図２の切り替え部１８を構成し、パリティ挿入部２４５は図２の端末インタフェース部２１を構成している。
【０１８９】
この図と図２７を比較すると明らかなように、その構成は同じである。ノード１５２には、１系伝送路４と迂回回線５とが入力されているので、図９に示すように０系伝送路３，１系伝送路４，迂回回線５の内から一つを選ぶ必要はなく、その構成は図９に示すものよりも簡単になっている。１系迂回状態挿入部２３８の出力はノード１５５へ送信される。動作は図２７に示すものと同じであるので、その説明は省略する。
【０１９０】
図３８はノード１５５の受信側構成例を示す回路図である。図９，図２８と同一のものは、同一の符号を付して示す。０系パリティ検出部２３９と、１系パリティ検出部２４０と、切り替え制御部２４１と、端末選択部２４２と、迂回状態検出部２４３と、レジスタ２４４とで図２の端末インタフェース部２０を構成している。
【０１９１】
０系の伝送路データが０系光受信部２２１に入り、ノード１５２のセレクタＳＬ２の出力が１系光受信部２２３に入る。そして、最終的には端末選択部２４２でセレクトされたデータが受信側端末２に送出される。図より明らかなように、この図は図２８と全く同じである。従って、その説明は省略する。
【０１９２】
以上、説明した実施の形態例１〜実施の形態例６において、光伝送路上で２箇所の障害発生に対して、迂回回線をサポートすることにより、データ回線を確保することができる。
【０１９３】
７．第７の実施の形態例
図４１は本発明の第７の実施の形態例を示すブロック図で、ノード１の構成を示している。図２と同一のものは、同一の符号を付して示す。図において、３は右回りの＃０系伝送路、４は左回りの＃１系伝送路である。１１は１系伝送路４と接続される伝送路インタフェース部、１２は０系伝送路３と接続される伝送路インタフェース部である。
【０１９４】
１３は＃１系伝送路インタフェース部１１と接続される＃１系時間スイッチ部（図２では多重化部として示す）、１４は＃０系伝送路インタフェース部１２と接続される＃０系時間スイッチ部（図２では多重化部として示す）である。２０はこれら＃０系と＃１系の時間スイッチ部１３，１４と接続される端末インタフェース部である。該端末インタフェース部２０には端末２が接続されている。端末インタフェース部２０において、２０ｂは＃０系と＃１系の時間スイッチ部１３，１４からの信号を受けて何れか一方をセレクトして端末２に与えるセレクタである。一方、端末２からの送出データは、それぞれの系の時間スイッチ部１３，１４に入力されている。１５は伝送路インタフェース部１１，１２、時間スイッチ部１３，１４及び端末インタフェース部２０の制御を行なう監視制御部である。
【０１９５】
４００は迂回スイッチ制御を行なう迂回スイッチ部であり、図１に示す原理図のデータ選択手段１０に相当するものである。迂回スイッチ部４００において、２１は迂回回線５と接続され、フレームの組立と分解等を行なう迂回回線インタフェース部（図２の端末インタフェース部２１に同じ）である。４０１は迂回回線インタフェース部２１と接続され、速度変換と多重処理を行なう速度変換／多重処理部、４０２は該速度変換／多重処理部４０１の出力を受けてパリティ等の監視情報を付加する監視情報付加部である。
【０１９６】
４０３は＃０系のセレクタ、４０４は＃１系のセレクタである。迂回スイッチ部４００の▲１▼〜▲５▼の信号接続先は、時間スイッチ部１３，１４及び制御部３００の同一番号の部分と接続される。セレクタ４０３の第１の入力には＃０系時間スイッチ部１４からの信号が入力され、第２の入力には監視情報付加部４０２からの迂回回線信号が入力される。また、セレクタ４０４の第１の入力には、＃１系時間スイッチ部１３からの信号が入力され、第２の入力には監視情報付加部４０２からの迂回回線信号が入力される。そして、セレクタ４０３の出力は時間スイッチ部１４に入り、セレクタ４０４の出力は時間スイッチ部１３に入る。
【０１９７】
４０５は＃０系と＃１系のデータを受けてパリティエラー等のアラーム検出を行なうアラーム検出部で、その出力は監視制御部１５に入っている。４０６は該アラーム検出部４０５の出力を受けて、セレクタ４０３，４０４に対して正常な系を選択するためのセレクト信号を与える選択制御部である。このように構成された装置の動作を説明すれば、以下の通りである。
【０１９８】
各ノードは、装置内に二重化された伝送路インタフェース部１１，１２、二重化された時間スイッチ部１３，１４、監視制御部１５及び複数端末インタフェース部２０を設け、右回り系（０系）と左回り（１系）の２系統のリング伝送路３，４及びそれぞれ二重化された伝送路インタフェース部１１，１２、時間スイッチ部１３，１４を経由して、前期端末インタフェース部２０の受信処理で、前期右回り伝送路３経由の通信パスと、前期左回りの伝送路経由の通信パスとの選択を行なうことにより、通信パスの二重化を実現している。
【０１９９】
通常、端末インタフェース部２０内では、端末２より受信したデータは、パリティ等の監視情報が付加され、同一データを両系の時間スイッチ部１３，１４に送信し、二重化された通信パスの受信データに対してはセレクタを設け、前期パリティのエラー等の情報を監視して常に正常な系を選択するようにする。
【０２００】
迂回回線インタフェースを有するノード１では、上記の各機能の他に、時間スイッチ部１３，１４より受信された０系データと１系データを多重伝送する迂回回線インタフェース部２１を備え、更に迂回回線５より受信したデータは、速度変換／多重処理部４０１を介して監視情報付加部４０２に送られ、該監視情報付加部４０２でパリティ等の監視情報が付加され、同一データの両系を時間スイッチ部１３，１４にセレクタ４０３，４０４を介して送信する。
【０２０１】
一方、時間スイッチ部１３，１４からの二重化された通信パスの受信データに対しては、アラーム検出部４０５でパリティのエラー等の状態を監視し、前期セレクタ４０３，４０４を通常時は時間スイッチ部１３，１４からのデータを選択し、異常時のみ迂回回線５からのデータを選択するように、アラーム検出部４０５の出力を受けた選択制御部４０６が制御する。
【０２０２】
また、時間スイッチ部１３，１４より受信された０系データ，１系データを選択して伝送する迂回回線インタフェース部２１は、その選択制御は前期パリティ等のエラー状態を監視して正常な系を選択するようにする。
【０２０３】
８．第８の実施の形態例
図４２は本発明の第８の実施の形態例を示すブロック図である。図４１と同一のものは、同一の符号を付して示す。この実施の形態例は、図４１の実施の形態例と比較すると分かるように、図４１の速度変換／多重処理部４０１の代わりに速度変換のみを行なう速度変換部４０７と、第３のセレクタ４０８を設けている。このセレクタ４０８は、＃０系伝送路データと＃１系伝送路データを受けて、選択制御部４０６の出力により、何れか一方を選択して速度変換部４０７に与えるようにしたものである。このように構成された装置の動作を説明すれば、以下の通りである。
【０２０４】
この実施の形態例では、迂回回線インタフェース部２１を有するノードでは、時間スイッチ部１３，１４より受信された０系データと１系データをセレクタ４０８で選択して迂回回線５へ伝送するようにしたものである。その他の機能及び動作は、図４１に示す回路と同じであるので、その説明は省略する。
【０２０５】
図４３は通常のノードの構成例を示すブロック図である。図４１と同一のものは、同一の符号を付して示す。リング型ネットワークを構成する１つのノードの構成は、図に示すように、二重化された伝送路インタフェース部１１，１２、時間スイッチ部１３，１４、複数の端末インタフェース部２０及び制御部１５とで構成されている。
【０２０６】
このように構成された回路において、伝送路インタフェース部１１，１２は、伝送路が光伝送路であれば光／電気（Ｏ／Ｅ）変換、電気／光（Ｅ／Ｏ）変換を行ない、更に電気信号レベルでのフレーム同期・組立等を行なう。それぞれの伝送インタフェース１１，１２を通過したデータは、時間スイッチ部１３，１４で多重化処理を行ない、セレクタ２０ｂを介して端末２に入力される。
【０２０７】
一方、端末２から送出されるデータは、０系と１系の時間スイッチ１３，１４に入り、伝送路インタフェース部１１，１２を介して１系伝送路４又は０系伝送路３から送出されていく。
【０２０８】
図４４は時間スイッチ部１３又は１４の具体的構成例を示すブロック図である。時間スイッチ部は、伝送路と時分割で多重化を行なう端末インタフェース部とのタイムスロットの時間スイッチを行なうため、タイムスロットの入れ替えを行なう。伝送路インタフェース部１１，１２からのデータはデータメモリ３０１に順次書き込まれる。
【０２０９】
そしてタイムスロットの入れ替えに関しては、カウンタ３０７の出力を書込みアドレスとして逐次的にデータメモリ３０１に書き込み、またアドレス・コントロール・メモリ３０４の出力を読み出しアドレスとしてデータメモリ３０１から読み出すことにより行なう。データメモリ３０１から読み出されたデータは、分離部３０２で分離された後、端末インタフェース部２０に送出される。
【０２１０】
一方、端末インタフェース部２０からのデータは、多重部３０３に入り、多重化された後、データメモリ３０６に書き込まれる。この時の書き込みアドレスはカウンタ３０７から与えられる。データメモリ３０６に書き込まれたデータは、アドレス・コントロール・メモリ３０８からのアドレスにより読み出される。読み出されたデータは、セレクタ３０９の一方の入力に入る。一方、該セレクタ３０９の他方の入力には、伝送路インタフェース部からのデータがそのまま入力されている。そして、アドレス・コントロール・メモリ３０８の出力により、何れか一方がセレクトされて伝送路インタフェース部１１又は１２に送出される。
【０２１１】
セレクタ３０９は、装置内を伝送データが経由するのみの場合、通信パス（装置内の端末インタフェース部で収容されない通信パスのこと。以降接回線パスと呼ぶ）は、伝送路インタフェース部１１，１２より入力された後、すぐに折り返されてセレクタ３０９から再度伝送路インタフェース部１１，１２に出ていく。
【０２１２】
これにより、接回線パスのデータは中継処理が行われる。また、端末インタフェース部２０側の出力に対しては、分離部３０２が、入力に対しては多重部３０３が設けられ、複数の端末インタフェース部２０との送受信に対応できるようになっている。
【０２１３】
端末インタフェース部２０は、装置（ノード）に接続される各種の端末に応じて端末インタフェース機能を具備する。即ち、装置に接続される端末２の数量及び種類に応じて、複数の端末インタフェース部２０が用意される。
【０２１４】
図４５は端末インタフェース部の具体的構成例を示すブロック図である。端末２から入力されたデータは、端末の種類に応じた端末インタフェース部３１０で、フレーム同期処理等が行われた後、速度変換回路３１１で装置内のデータバスの速度に合わせられる。
【０２１５】
そして、更に監視情報付加部３１２でパリティ等の情報が付け加えられ、二重化された時間スイッチ部１３，１４の０系，１系それぞれに同一データを出力する。一方、０系，１系それぞの時間スイッチ部１３，１４から入力されたデータは、アラーム検出回路３１４とセレクタ３１３に入力される。
【０２１６】
アラーム検出回路３１４では、状態が監視され例えばパリティ等のチェックが行なわれ、その結果が選択制御部３１５に入力される。該選択制御部３１５は、その状態により、０系データと１系データの正当性を確認することができ、正常な系のデータがセレクタ３１３で選択される。このようにして選択されたデータは、速度変換回路３１１で端末側の速度に変換され、フレーム等の組み立てを端末インタフェース部３１０で行ない、端末２へ送出される。
【０２１７】
図４１に示す第７の実施の形態例について更に詳細に説明する。図４１に示す装置（ノード）では、迂回に係わる機能として、端末インタフェース部２０と同様の機能の他、時間スイッチ部１３，１４への送信部にそれぞれセレクタＳＥＬ＃０（４０３），ＳＥＬ＃１（４０４）を設け、迂回回線５からのデータと時間スイッチ部からのデータを選択する。
【０２１８】
また、時間スイッチ部１３，１４からの０系データと１系データを迂回回線５へ多重伝送する機能を備える。この多重化処理は、速度変換／多重処理部４０１でなされる。迂回回線インタフェース部２１としては、例えばＴＴＣ−２Ｍインタフェース等複数のタイムスロットを多重伝送できるものを備える。
【０２１９】
この時、セレクタＳＥＬ＃０，ＳＥＬ＃１は、通常時には時間スイッチ部１３，１４からのデータを選択し、接回線パスを構成する。若し、０系伝送路又は１系伝送のうち、どちらかで障害が発生すると、アラーム検出部４０５がパリティ等のエラーを検出し、選択制御部４０６に通知する。そして、該選択制御部４０６の指示により迂回回線５からのデータが選択され、時間スイッチ部１３，１４に送られる。
【０２２０】
迂回回線５からのデータは、マイクロ回線等を経由して対向の迂回ノードから０系データ、１系データがそれぞれ多重伝送されてくるため、０系伝送路又は１系伝送路のどちらが障害になっても、迂回通信パスが構成され、迂回回線の通信パスがバックアップされることになる。
【０２２１】
この実施の形態例によれば、どのような障害パターンの場合でも、迂回を可能とすることができる。
次に、図４２に示す第８の実施の形態例について更に詳細に説明する。図４２に示す装置（ノード）では、迂回に係わる機能として、端末インタフェース部２０と同様の機能の他、時間スイッチ部１３，１４への送信部にそれぞれセレクタＳＥＬ＃０（４０３），ＳＥＬ＃１（４０４）を設け、迂回回線５からのデータと時間スイッチ部からのデータを選択する。
【０２２２】
また、第３のセレクタ＃２ＳＥＬ（４０８）を設け、時間スイッチ部１３，１４からの０系データと１系データの正常系のデータを選択して迂回回線５へ伝送する機能を持つ。迂回回線インタフェース部２１としては、例えばＴＴＣ−２Ｍインタフェース等複数のタイムスロットを多重伝送できるものを備える。
【０２２３】
この時、セレクタＳＥＬ＃０，ＳＥＬ＃１は、通常時には時間スイッチ部１３，１４からのデータを選択し、接回線パスを構成する。若し、０系伝送路又は１系伝送のうち、どちらかで障害が発生すると、アラーム検出部４０５がパリティ等のエラーを検出し、選択制御部４０６に通知する。そして、該選択制御部４０６の指示により迂回回線５からのデータが選択され、時間スイッチ部１３，１４に送られる。
【０２２４】
迂回回線５からのデータは、マイクロ回線等を経由して対向の迂回ノードから０系データ、１系データの正常な方が伝送されてくるため、０系伝送路又は１系伝送路のどちらが障害になっても、迂回通信パスが構成され、迂回回線の通信パスがバックアップされることになる。
【０２２５】
この実施の形態例によれば、どのような障害パターンの場合でも、迂回を可能とすることができる。
次に、データ回線に障害が発生した時の動作について説明する。図４１に示す装置で迂回ループが形成されるものとする。そして、システム全体の構成は図３９と同じであるものとする。通常状態では迂回ノードＲＮ＃１，ＲＮ＃２それぞれで、セレクタＳＥＬ＃０，ＳＥＬ＃１で時間スイッチ部１４，１３からのデータが選択され、接回線パスを構成する。そして、ノードＩＮ＃４とＩＮ＃７に端末２が接続されている。この場合、端末インタフェース部２０間の二重化通信パスが形成されている。
【０２２６】
ここで、図３９に示す伝送路の×印で二重障害が発生したものとする。この場合には、図４６に示すように迂回ノードＲＮ＃１ではセレクタＳＥＬ＃１で迂回回線データが選択され、ＲＮ＃２ではセレクタＳＥＬ＃１で迂回回線のデータが選択される。この結果、図４８に太い実線で示すような迂回通信パスが張られ、ノードＩＮ＃４の端末２とノードＩＮ＃７の端末２とは通信が可能となる。
【０２２７】
また、図４０に示すような伝送路の二重障害が発生した場合、図４７に示すように迂回ノードＲＮ＃１ではセレクタＳＥＬ＃０で迂回回線のデータが選択され、ＲＮ＃２ではセレクタＳＥＬ＃０で迂回回線のデータが選択される。この結果、図４９に太い実線で示すような迂回通信パスが張られ、ノードＩＮ＃４の端末２とノードＩＮ＃７の端末２とは通信が可能となる。
【０２２８】
次に、図４２に示す装置で迂回ループが形成されるものとする。そして、システム全体の構成は図３９と同じであるものとする。通常状態では迂回ノードＲＮ＃１，ＲＮ＃２それぞれで、セレクタＳＥＬ＃０，ＳＥＬ＃１で時間スイッチ部１４，１３からのデータが選択され、接回線パスを構成する。そして、ノードＩＮ＃４とＩＮ＃７に端末２が接続されている。この場合、端末インタフェース部２０間の二重化通信パスが形成されている。
【０２２９】
ここで、図３９に示す伝送路の×印で二重障害が発生したものとする。この場合には、図５０に示すように迂回ノードＲＮ＃１ではセレクタＳＥＬ＃１で迂回回線データが、セレクタＳＥＬ＃２で０系時間スイッチ部１４からのデータが選択される。また、迂回ノードＲＮ＃２では、セレクタＳＥＬ＃１で迂回回線が、セクタＳＥＬ＃２で０系時間スイッチ部１４からのデータが選択される。この結果、図４８に太い実線で示すような迂回通信パスが張られ、ノードＩＮ＃４の端末２とノードＩＮ＃７の端末２とは通信が可能となる。
【０２３０】
また、４０に示すような伝送路の二重障害が発生した場合、図５１に示すように迂回ノードＲＮ＃１ではセレクタＳＥＬ＃０で迂回回線のデータが、セレクタＳＥＬ＃２で１系時間スイッチ部１３からのデータが選択され、迂回ノードＲＮ＃２ではセレクタＳＥＬ＃０で迂回回線のデータが、セレクタＳＥＬ＃２で１系時間スイッチ部１３からのデータが選択される。この結果、ノードＩＮ＃４の端末２とノードＩＮ＃７の端末２とは図４９に太い実線で示すような迂回通信パスを通じて通信が可能となる。
【０２３１】
図４１，図４２に示したノードの構成の内、迂回スイッチ部４００の部分をユニット（パッケージ）化することを考える。迂回スイッチ部４００のみをユニット化しておけば、このユニットを通常のノードに付加することにより、通常のシステムから選択的に迂回通信可能なシステムへの対応が可能となる。
【０２３２】
つまり、前記ユニットが追加されない場合には通常中継ノードとして動作し、前記ユニットが追加された場合には、迂回回線のインタフェースを有するノード装置として動作させることができ、システムの発展性が期待できる。
【０２３３】
【発明の効果】
以上、詳細に説明したように、本発明によれば、
（１）ループ型に形成されて双方向二重化された伝送路と、固定長フレームでデータの伝送を行なう複数のノードと、迂回用の迂回回線で構成されたデータ伝送システムにおいて、二重化された伝送路から受信した０系データ、１系データ及び迂回回線から受信したデータをそれぞれの障害情報によって自動切り替えを行ない、データを選択するデータ選択手段をそれぞれのノードに設け、前記データ選択手段において、０系伝送路／迂回回線選択部と、１系伝送路／迂回回線選択部を別パッケージ構成とし、片系パッケージの障害時でも通信を可能とし、
データ選択手段内の迂回受信部にある０系伝送路／迂回回線データ選択部と、１系伝送路／迂回回線データ選択部を別パッケージ（ハードウェア分離）することにより、片系パッケージの障害時でも通信を可能とすることができ、保守時のハードウェア交換時にもデータ通信を補償することができる。
【０２３４】
（２）この場合において、ループ型に形成されて双方向二重化された伝送路と、固定長フレームでデータの伝送を行なう複数のノードと、迂回用の迂回回線で構成されたデータ伝送システムにおいて、二重化された伝送路から受信した０系データ、１系データ及び迂回回線から受信したデータをそれぞれの障害情報によって自動切り替えを行ない、データを選択するデータ選択手段をそれぞれのノードに設け、前記データ選択手段において、０系伝送路／迂回回線選択部と、１系伝送路／迂回回線選択部を別パッケージ構成とし、それぞれのパッケージをオプションとして既存システムに追加できるようにすることにより、
データ選択手段内の迂回受信部にある０系伝送路／迂回回線データ選択部と、１系伝送路／迂回回線データ選択部を別プリント板とし、そのプリント板の無い既存システムにオプションとしてプリント板を追加することができ、迂回回線の収容を容易にすることができる。
【０２３５】
（３）また、前記データ選択手段からのセレクタ選択情報をデータの制御領域に挿入し、受信端末インタフェース部で該情報を解析・通知することにより、前記受信端末インタフェース部で迂回回線／伝送路の回線選択状態を検出できるようにすることにより、迂回受信部において、該当チャネルの制御ビットに設ける伝送路／迂回回線選択通知信号ビットに、伝送路／迂回回線選択状態を挿入し、端末受信部において同ビットを受信・解析・通知することで、端末受信部にて伝送路／迂回回線の回線選択状態が検出できる。
【０２３６】
（４）また、前記受信端末インタフェース部で検出した回線選択状態を監視し、受信端末インタフェース部の伝送路／迂回回線選択状態を確認できるようにすることにより、端末受信部において検出した回線選択状態を監視制御部にて監視し、伝送路と迂回回線を選択している切り替え部での回線選択状態が確認できなくても、該当する端末インタフェース部の状態だけで迂回回線を選択しているのか伝送路を選択しているのかを確認することができる。
【０２３７】
（５）また、前記データ選択手段は、端末インタフェース部選択時における選択切り替え時間を速くすることにより、回線品質の高い伝送路への切り替えができるようにすることにより、データ選択手段内の迂回受信部にある伝送路／迂回回線データ選択部のセレクタ切り替え時間と、端末受信部の０系／１系データ選択部のセレクタ切り替え時間について、後者の切り替え時間を前者より速くすることにより、端末におけるデータ瞬断時間を短かくすることができる。
【０２３８】
（６）また、前記データ選択手段は、自動切り替えモードと固定切り替えモードを設けることにより、伝送路及び迂回回線の保守時に無用な切り替えを行なわないようにすることにより、データ選択手段内の迂回受信部にある０系伝送路／迂回回線データ選択部と、１系伝送路／迂回回線データ選択部の切り替え制御において、自動切り替えモード（伝送路／迂回回線正当性確認結果によるハードウェア自動切り替えモード）と固定切り替えモード（ハードウェアによる自動切り替えは行なわず、ソフトウェアからの強制設定により切り替えるモード）を設けて、伝送路及び迂回回線の保守時に無用な切り替えをしないようにすることができる。
【０２３９】
（７）また、前記データ選択手段は、自動切り替えモード時に強制切り替えを行なっても、切り替え先の障害情報を監視して、異常時は無用な切り替えを行なわないようにすることにより、データ選択手段内の迂回受信部にある０系伝送路／迂回回線データ選択部と、１系伝送路／迂回回線データ選択部の切り替え制御において、自動切り替えモードにおいてもソフトウェアからの強制切り替えを可能とし、切り替え先の障害情報を監視して、障害が発生している場合には強制切り替えを行なわないようにすることができる。
【０２４０】
（８）また、前記データ選択手段は、時間スイッチ部より受信した０系と１系のデータを多重伝送する迂回回線インタフェース部と、時間スイッチ部からのデータと迂回回線からのデータを選択して時間スイッチ部へ送信するデータ選択部とを具備することにより、どのような障害のパターンの場合でも、迂回を可能とすることができる。
【０２４１】
（９）また、前記データ選択手段は、時間スイッチ部より受信した０系と１系のデータを選択して伝送する迂回回線インタフェース部と、時間スイッチ部からのデータと迂回回線からのデータを選択して時間スイッチ部へ送信するデータ選択部とを具備することにより、どのような障害パターンの場合でも、迂回を可能とすることができる。
【０２４２】
（１０）また、前記迂回回線インタフェース部とデータ選択部を具備するデータ選択手段をユニット化することにより、本ユニットを追加するだけで、通常のデータ伝送システムから選択的に迂回可能なデータ伝送システムへの対応が可能となる。
【０２４９】
このように、本発明によれば伝送路で障害が発生しても通信パスを確保でき、高信頼・高品質なデータ通信を提供することができる伝送路データ迂回システムを提供することができる。
【図面の簡単な説明】
【図１】本発明の原理ブロック図である。
【図２】本発明に係るノードの一実施の形態例を示すブロック図である。
【図３】本発明の第１の実施の形態例を示すブロック図である。
【図４】ノード１０１の送信側構成例を示す回路図である。
【図５】通信データと制御ビットの具体的な構成例を示す図である。
【図６】通信データと制御ビットの他の具体的な構成例を示す図である。
【図７】障害情報による切り替え制御の実施例を示す状態遷移図である。
【図８】障害情報による切り替え制御の実施例を示す状態論理を示す図である。
【図９】ノード１０２の受信側構成例を示す回路図である。
【図１０】障害情報による切り替え制御の他の実施例を示す状態遷移図である。
【図１１】障害情報による切り替え制御の他の実施例を示す状態論理を示す図である。
【図１２】端末インタフェース部内のレジスタ構成例を示す図である。
【図１３】監視制御部の監視処理を示すフローチャートである。
【図１４】記憶部の詳細構成例を示す図である。
【図１５】０系切り替え制御部及び１系切り替え制御部の詳細構成例を示す回路図である。
【図１６】本発明の第２の実施の形態例を示すブロック図である。
【図１７】ノード１１１の送信側構成例を示す回路図である。
【図１８】ノード１１２の受信側構成例を示す回路図である。
【図１９】ノード１１６の受信側構成例を示す回路図である。
【図２０】本発明の第３の実施の形態例を示すブロック図である。
【図２１】ノード１２１の送信側構成例を示す回路図である。
【図２２】ノード１２２の受信側構成例を示す回路図である。
【図２３】ノード１２５の受信側構成例を示す回路図である。
【図２４】本発明の第４の実施の形態例を示すブロック図である。
【図２５】ノード１３７の送信側構成例を示す回路図である。
【図２６】ノード１３１の送信側構成例を示す回路図である。
【図２７】ノード１３２の受信側構成例を示す回路図である。
【図２８】ノード１３５の受信側構成例を示す回路図である。
【図２９】本発明の第５の実施の形態例を示すブロック図である。
【図３０】ノード１４６の送信側構成例を示す回路図である。
【図３１】ノード１４２の送信側構成例を示す回路図である。
【図３２】ノード１４１の受信側構成例を示す回路図である。
【図３３】ノード１４５の受信側構成例を示す回路図である。
【図３４】本発明の第６の実施の形態例を示すブロック図である。
【図３５】ノード１５３の送信側構成例を示す回路図である。
【図３６】ノード１５１の送信側構成例を示す回路図である。
【図３７】ノード１５２の受信側構成例を示す回路図である。
【図３８】ノード１５５の受信側構成例を示す回路図である。
【図３９】第１の障害パターン例を示す図である。
【図４０】第２の障害パターン例を示す図である。
【図４１】本発明の第７の実施の形態例を示すブロック図である。
【図４２】本発明の第８の実施の形態例を示すブロック図である。
【図４３】通常のノード構成例を示すブロック図である。
【図４４】時間スイッチ部の具体的構成例を示すブロック図である。
【図４５】端末インタフェース部の具体的構成例を示すブロック図である。
【図４６】障害パターン１の場合のＲＮ＃１とＲＮ＃２の動作を示す図である。
【図４７】障害パターン２の場合のＲＮ＃１とＲＮ＃２の動作を示す図である。
【図４８】迂回パス設定の説明図である。
【図４９】迂回パス設定の他の説明図である。
【図５０】障害パターン１の場合のＲＮ＃１とＲＮ＃２の他の動作を示す図である。
【図５１】障害パターン２の場合のＲＮ＃１とＲＮ＃２の他の動作を示す図である。
【符号の説明】
１  ノード
２  端末
３  ０系伝送路
４  １系伝送路
５  迂回回線
１０  データ選択手段
【図１】
0003842379.tif 000002
【図２】
0003842379.tif 000003
【図３】
0003842379.tif 000004
【図４】
0003842379.tif 000005
【図５】
0003842379.tif 000006
【図６】
0003842379.tif 000007
【図７】
0003842379.tif 000008
【図８】
0003842379.tif 000009
【図９】
0003842379.tif 000010
【図１０】
0003842379.tif 000011
【図１１】
0003842379.tif 000012
【図１２】
0003842379.tif 000013
【図１３】
0003842379.tif 000014
【図１４】
0003842379.tif 000015
【図１５】
0003842379.tif 000016
【図１６】
0003842379.tif 000017
【図１７】
0003842379.tif 000018
【図１８】
0003842379.tif 000019
【図１９】
0003842379.tif 000020
【図２０】
0003842379.tif 000021
【図２１】
0003842379.tif 000022
【図２２】
0003842379.tif 000023
【図２３】
0003842379.tif 000024
【図２４】
0003842379.tif 000025
【図２５】
0003842379.tif 000026
【図２６】
0003842379.tif 000027
【図２７】
0003842379.tif 000028
【図２８】
0003842379.tif 000029
【図２９】
0003842379.tif 000030
【図３０】
0003842379.tif 000031
【図３１】
0003842379.tif 000032
【図３２】
0003842379.tif 000033
【図３３】
0003842379.tif 000034
【図３４】
0003842379.tif 000035
【図３５】
0003842379.tif 000036
【図３６】
0003842379.tif 000037
【図３７】
0003842379.tif 000038
【図３８】
0003842379.tif 000039
【図３９】
0003842379.tif 000040
【図４０】
0003842379.tif 000041
【図４１】
0003842379.tif 000042
【図４２】
0003842379.tif 000043
【図４３】
0003842379.tif 000044
【図４４】
0003842379.tif 000045
【図４５】
0003842379.tif 000046
【図４６】
0003842379.tif 000047
【図４７】
0003842379.tif 000048
【図４８】
0003842379.tif 000049
【図４９】
0003842379.tif 000050
【図５０】
0003842379.tif 000051
【図５１】
0003842379.tif 000052